(57)【要約】【課題】OADM装置等のWDM信号光を分岐・挿入する装置では、複数の波長の信号光が多重化された光から任意の波長の信号光を選択し出力する、選択波長可変光フィルタが用いられる。WDM信号光の多重度が増加すると、OADM装置等で使用する選択波長可変光フィルタの数が増加し、製造コストが増大する。【解決手段】入力した光の中から外部の制御信号により複数の波長を選択し出力する波長選択部と、該波長選択部の出力光を複数の波長に分波する分波手段を備えることで、装置に使用する場合のフィルタ使用数を抑えることができる。【選択図】図１
2004282690.tif 000002
【特許請求の範囲】
【請求項１】
複数の異なる波長の光が多重化された光を入力し外部より与えられた制御信号に応じた複数の波長の光を選択し出力する波長選択部と、
前記波長選択部の出力光を波長ごとに分波し出力する分波手段を備えた波長選択モジュール。
【請求項２】
請求項１記載の波長選択モジュールであって、
前記分波手段の出力光を入力し、不要の波長の光を減衰して出力する手段を備えたことを特徴とする波長選択モジュール。
【請求項３】
複数の異なる波長の光を入力し外部より与えられた制御信号に応じた複数の波長の光を選択し出力する波長選択部と、
前記波長選択部の出力を第１および第２の光に分岐する分岐手段と、
前記第２の光を入力し特定の波長の光を選択的に透過する第１のフィルタと、
前記制御信号と前記第１のフィルタの出力と前記フィルタの透過波長に基づき、前記波長選択部に与えられた制御信号と選択波長との関係を調整する制御部とを備えたことを特徴とする波長選択モジュール。
【請求項４】
出力波長が一定である基準光源と、
複数の異なる波長の光を含む入力光と前記基準光源の出力光を合波する合波手段と、
前記合波手段の出力光を入力し外部より与えられた制御信号に応じた複数の波長の光を選択し出力する波長選択部と、
前記波長選択部の出力を第１および第２の光に分岐する分岐手段と、
前記第２の光を入力し前記基準光源の出力光波長の光を選択的に透過する第１のフィルタと、
前記制御信号と前記第１のフィルタの出力と前記基準光源の波長に基づき、前記波長選択部に与えられた制御信号と選択波長との関係を調整する制御部とを備えたことを特徴とする波長選択モジュール。
【請求項５】
出力波長が一定である第１および第２の基準光源と、
複数の異なる波長の光を含む入力光と前記第１および第２の基準光源の出力光を合波する合波手段と、
前記合波手段の出力光を入力し外部より与えられた制御信号に応じた複数の波長の光を選択し出力する波長選択部と、
前記波長選択部の出力を第１ないし第３の光に分岐する分岐手段と、
前記第２の光を入力し前記第１の基準光源の出力光波長の光を選択的に透過する第１のフィルタと、
前記第３の光を入力し前記第２の基準光源の出力光波長の光を選択的に透過する第２のフィルタと、
前記制御信号と前記第１のフィルタの出力と前記第１の基準光源の波長の関係および前記制御信号と前記第２のフィルタの出力と前記第２の基準光源の波長の関係に基づき、前記波長選択部に与えられた制御信号と選択波長との関係を調整する制御部とを備えたことを特徴とする波長選択モジュール。
【請求項６】
請求項３ないし請求項５記載の波長選択モジュールであって、前記制御部は前記第１または第２のフィルタにより選択的に透過される光を前記波長選択部で連続的に選択するように前記制御信号を制御することを特徴とする波長選択モジュール。
【請求項７】
請求項３ないし請求項５記載の波長選択モジュールであって、前記制御部は前記第１または第２のフィルタにより選択的に透過される光に対応する前記制御信号の出力を抑制することにより、前記第１または第２のフィルタにより選択的に透過される光の波長の前記第１の光への出力を抑制することを特徴とする波長選択モジュール。
【請求項８】
請求項３ないし請求項５記載の波長選択モジュールであって、
第１の光を入力し前記制御部は前記第１または第２のフィルタにより選択的に透過される光の波長を減衰する第３のフィルタを備えることを特徴とする波長選択モジュール。
【発明の詳細な説明】
【技術分野】
【０００１】
本発明は、波長多重された光から特定の波長の光を選択して出力する波長フィルタおよび、これを用いた光分岐・挿入装置に関する。
【背景技術】
【０００２】
通信システムにおいては、大容量で構成が柔軟なネットワーク構築のために、長距離・大容量の伝送が可能である光通信システムの需要が高い。この長距離・大容量の伝送を実現する方式として、波長分割多重（WDM；Wavelength-division Multiplexing）通信が広く用いられている。WDM通信は、光ファイバの広帯域・大容量性を利用するものであり、WDM通信によるネットワーク構築についての研究が進められている。
【０００３】
光通信システムで柔軟な構成のネットワークを構築するためには、ネットワーク上の各地点において、信号光を通過・分岐・挿入する機能、信号光ごとに伝送先を選択する光ルーティング機能、クロクコネクト機能が必要となる。このうち、光信号を通過・分岐・挿入する機能を実現する手段として、光学的分岐挿入（OADM；Optical Add / Drop Multiplexing）装置が研究開発されている。OADM装置としては、固定波長の光信号のみを分岐・挿入することができる波長固定型のOADM装置と、任意波長の光信号を分岐・挿入することができる任意波長型のOADM装置が知られている。
【０００４】
一方、音響光学チューナブルフィルタ（AOTF；Acousto-Optic Tunable Filter）は、音響光学効果を用いて波長を選択するフィルタであり、外部より印加する高周波（RF；Radio Frequency）信号に応じた波長の光を選択することができる。選択波長が固定であるファイバーグレーティングと異なり、RF信号の周波数を変化させることにより、任意の波長を選択することができる。また、選択波長範囲が広い（80nm以上）、チューニングのスピードが速い（10μ秒以下）、同時に複数波長を選択できる等の特長を有する。さらに、可変波長選択フィルタでもあるので、端局間において光信号を分岐・挿入する局であるトリビュータリ局における可変波長選択フィルタとしても使用することができる。このような理由から、AOTFを使用したOADM装置が研究開発されている。（例えば特許文献１参照。）
AOTFは図１８に示される音響光学効果を利用した光素子であり、弾性表面波（SAW；Surface Acoustic Wave）と光の相互作用によるモード変換を利用して波長を選択する。図１８においてAOTFは、複屈折性および音響光学効果を有する基板２６Ａの上に形成された、光導波路２４Ａ〜２４Ｂ、偏光ビームスプリッタ（PBS；Polarized Beam Splitter）２３Ａ〜２３Ｂ、SAW導波路２２Ａ、櫛形電極（IDT；Inter Digit Transducer）２１Ａ、吸収体２５Ａ〜２５Ｂにより構成される。
【０００５】
基板２６Ａとしては、複屈折性および音響光学効果を有するLiNbO3が用いられ、Ti等を拡散することにより光導波路２４Ａ〜２４ＢとPBS２３Ａ〜２３Ｂが形成される。光導波路２４Ａと２４Ｂは２箇所で交叉し、交叉部分に導波路型のPBS２３Ａ〜２３Ｂが設けられる。PBS２３Ａおよび２３Ｂは、入射する光導波路の光の偏光に基づき、光の進行方向を変化させる偏光分離素子である。
【０００６】
SAW導波路２２Ａは、IDT２１Ａにより発生したSAWが伝搬する導波路であり、光導波路２４Ａおよび２４Ｂと交差する部分において、SAWと光とが相互作用をする。IDT２１Ａは、外部のRF信号発生部２Ａより印加されたRF信号に基づき、SAWを発生させる電極である。SAW導波路と光導波路が交差する領域においては、光導波路２４Ａおよび２４Ｂの屈折率は、SAWの波長に合わせて周期的に変化する。これにより、光導波路２４Ａおよび２４Ｂを伝搬する光のうち、SAWによる光導波路の屈折率の周期的な変化と相互作用をする、特定の波長の光の偏波面が回転し、TE光はTM光に、TM光はTE光へとモードが入れ替わる。SAWとの相互作用による光の偏波面の回転量は、相互作用の作用長と、SAWを発生させるためにIDTに印加するRF信号の強度に比例する。したがって、作用長とRF信号強度を選択することにより、SAWによりモード変換をする光の波長を制御することができる。
【０００７】
図１８のように光導波路とSAW導波路が交差する構成では、金属膜を形成することによりSAW導波路が形成される。光通信で用いられている波長帯域であるＣバンド（1.55μm帯；約1.53μm〜約1.56μm）やＬバンド（1.58μm帯；約1.57μm〜約1.61μm）の光をAOTFにより選択する場合、印加するRF信号の周波数は170MHz〜180MHzとなる。また、SAWがSAW導波路２２Ａ以外に伝搬しないように、吸収体２５Ａおよび２５Ｂが設けられている。
【０００８】
ここで、図１８に示されるAOTFに波長λ1、λ2、λ3の光が入力され、外部からのRF信号により波長λ1の光のみが選択され、出力される場合を考える。入力（IN）ポートに入射した波長λ1、λ2、λ3の光は、PBS２３ＡによりTE光とTM光に分かれて、波長λ1、λ2、λ3のTM光は光導波路２４Ｂを伝搬し、波長λ1、λ2、λ3のTE光は光導波路２４Ａを伝搬する。波長λ1の光が、SAWと光の相互作用によりモード変換されるように選択された周波数および強度のRF信号を、RF信号発生部２ＡがIDT２１Ａに印加することにより、波長λ1の光はモード変換され、光導波路２４ＡからPBS２３Ｂには波長λ1のTM光と波長λ2、λ3のTE光が入射し、光導波路２４ＢからPBS２３Ｂには波長λ2、λ3のTM光と波長λ1のTE光が入射する。
【０００９】
PBS２３Ｂにより、光導波路２４Ａから入射した光は、波長λ2、λ3のTE光が透過（THRU）ポートへ、波長λ1のTM光が分岐（DROP）ポートへと出力する。また、光導波路２４Ｂから入射した光は、波長λ2、λ3のTM光が透過（THRU）ポートへ、波長λ1のTE光が分岐（DROP）ポートへと出力する。したがって、波長λ2、λ3のTE光およびTM光は透過（THRU）ポートへ、波長λ1のTE光およびTM光が分岐（DROP）ポートへと出力されるので、偏光に関わらず、RF信号発生部で選択した波長の光は、分岐（DROP）ポートへ、それ以外の波長の光は透過（THRU）ポートへと出力される。
【００１０】
このように、AOTFは、RF信号の周波数に応じた波長の光のみを選択して分岐させることができ、さらに、このRF信号の周波数を変化させることによって、選択される光の波長を変えることができる。また、透過（THRU）ポートから出力される光は、入力（IN）ポートから入力される光（波長λ1、λ2、λ3）から、RF信号の周波数に対応する波長（λ1）の光のみが除去された光（波長λ2、λ3）であるので、AOTFは、特定波長の光を出力しないようにする、リジェクション機能を持つフィルタとして用いることができる。
【００１１】
また、挿入（ADD）ポートに波長λ4、λ5、λ6の光が入力され、波長λ4に対応するRF信号がIDT２１Ａに印加された場合は、上記と同様にして、波長λ4の光が透過（THRU）ポートに出力され、波長λ5、λ6の光が分岐（DROP）ポートに出力される。したがって、AOTFの挿入（ADD）ポートに光を入力した場合は、IDT２１Ａに印加されたRF信号の周波数に対応する波長の光は透過（THRU）ポートに出力され、それ以外の波長の光は分岐（
DROP）ポートに出力される。
【００１２】
AOTFは、印加するRF信号の周波数を変化させることにより、選択する光の波長を変化させることができるが、１℃の温度変化により選択波長が100GHz（波長換算で約0.8nm）ずれるという温度特性を持つ。
【００１３】
一方、WDM信号光の波長間隔は、例えば、ITU-T G.692勧告により0.8nmと規定されており、AOTFに印加するRF信号の周波数を変化させなければ、AOTFの温度変動により、異なる信号光を選択することになる。WDM通信においてAOTFを使用するために、AOTFの温度変化に対する制御方法についても研究・開発がなされている。（例えば特許文献１参照。）
図１９は、AOTFを用いた波長選択モジュールを使用した、従来の技術によるOADM装置である。図１９におけるOADM装置は、光カプラ９Ａ〜９Ｃ、光増幅器１１Ａ、光増幅部１１Ｂ、可変波長選択モジュール２０Ａ〜２０Ｄ、トランスポンダ部１５Ａ、光アッテネータ（ATT）部１２Ａ、帯域阻止光フィルタ（BRF；Band Rejection Filter）１６Ａにより構成される。また、トランスポンダ部１５Ａは、光受信部１３Ａおよび光送信部１４Ａにより構成される。
【００１４】
可変波長選択モジュール２０Ａ〜２０ＤはAOTFを使用した波長選択モジュールであり、入力された光から特定の波長の光を選択して出力する。また、BRF１６ＡはAOTFのリジェクション機能を用いたものであり、挿入（ADD）ポートから入力された光のうち、印加されたRF信号の周波数に対応する光を、透過（THRU）ポートに出力する。また、入力（IN）ポートから入力された光のうち、印加されたRF信号の周波数に対応する光を、分岐（DROP）ポートに出力し、透過（THRU）ポートには出力しない。
【００１５】
トランスポンダ部１５Ａは、入力された信号光を光受信部１３Ａで受信し、電気信号に変換してから、光送信部１４Ａにより、WDM信号光に挿入し、多重化することのできる波長の光信号として送出する。
【００１６】
図１９に示されるOADM装置において、入力されたWDM信号光から、波長λ1〜λ4の光を単一波長の光に分岐して出力するとともに、挿入された光を波長λ5〜λ8の光としてWDM信号光に多重化して出力する場合について説明する。
【００１７】
OADM装置の入力（IN）ポートに入力されたWDM信号光はカプラ９Ａにより分波され、BRF１６Ａと、光増幅器１１Ａに入力する。光増幅器１１Ａに入力した光は、増幅され、カプラ９Ｂにより分波され、可変波長選択モジュール２０Ａ〜２０Ｄに入力する。可変波長選択モジュール２０Ａ〜２０Ｄは、それぞれ波長λ1、λ2、λ3、λ4の光を選択し、単一波長の光としてOADM装置の分岐光ポートに出力する。
【００１８】
一方、OADM装置の挿入ポートに入力した光は、トランスポンダ部１５Ａにより信号光の波長を変え、波長λ5、λ6、λ7、λ8の光として出力する。出力された波長λ5〜λ8の光は、光増幅部１１Ｂにより増幅され、ATT部１２Ａにより、それぞれ光強度の調整をされ、カプラ９Ｃにより合波され、BRF１６Ａの挿入（ADD）ポートに入力する。
【００１９】
BRF１６Ａの入力（IN）ポートには、カプラ９Ａにより分波されたWDM信号光が入力され、BRF１６Ａの挿入（ADD）ポートにはカプラ９Ｃにより合波された波長λ5〜λ8の光が入力される。挿入（ADD）ポートに入力された光を透過（THRU）ポートに出力するために、BRF１６Ａには波長λ5〜λ8に対応する周波数のRF信号が印加されるが、これにより、入力（IN）ポートに入力されたWDM信号光のうち、波長λ5〜λ8の光は分岐（DROP）ポートに出力されるので、波長λ5〜λ8を除いた光が透過（THRU）ポートに出力される。
【００２０】
これにより、透過（THRU）ポートには、OADM装置に入力されたWDM信号光のうち、波長λ5〜λ8の光を除いた光と、BRF１６Ａの挿入（ADD）ポートに入力された波長λ5〜λ8の光が波長多重されたものが出力される。
【００２１】
現在の光伝送システムのネットワークでは、送信端局と受信端局との間で連続的に信号光を伝送するストリーム方式による通信が行われている。光伝送システムでは、光信号から電気信号に変換することなくデータを光のまま中継する技術が実用化され、光・電気および電気・光変換器削減による低コスト化や、信号光自体を切替えることにより、ビットレートやプロトコルに非依存な中継器が実現されてきた。柔軟なネットワーク構成を実現するために、信号光波長ごとに伝送経路を切替えることができる中継ノードに関する開発も行われている。
【００２２】
一方、現在のストリーム方式のように、端局間の通信を確立してから信号伝送を行うのではなく、一区切りのデータごとに中継ノードを切替える光バーストスイッチング方式の開発が進められている。図１８（ａ）は、光バーストスイッチング方式により通信を行う光ネットワークの構成を模式的に示したもの、図１８（ｂ）は、光バーストスイッチング方式における制御チャンネルおよびデータチャンネルに伝送される信号の時間に対する変化を模式的に示したものである。
【００２３】
図１８（ａ）において、光バーストスイッチング方式により通信を行う光バーストスイッチングネットワーク７０は、光バーストスイッチングネットワーク７０とアクセスネットワーク７１を接続しバーストデータを送出するエッジノード７３と、制御チャンネルにより伝送される制御パケットの情報に従い、バーストデータの伝送路を切替える中継ノードにより構成され、エッジノードと中継ノード、あるいは、中継ノード間は、WDM信号光により構成されるＮ本のデータチャンネルで結ばれている。
【００２４】
図１８（ｂ）は、光バーストスイッチング方式による通信における、制御パケットとバーストデータとの時間関係を示したものである。光バーストスイッチング方式による通信では、エッジノード７３より、データに先立ち制御パケットが制御チャンネルに送出される。制御パケットは、中継ノード７４で電気に変換して処理され、制御パケットの内容に基づき中継ノード７４におけるデータチャンネルの切替えがなされる。制御パケット送信後、オフセット時間Ｔ１をおいて、バーストデータが送信され、制御パケットの内容に基づいて切替えがなされた中継ノードを光のまま中継され、目的のエッジノードに伝送される。
【００２５】
光バーストスイッチング方式において伝達されるバーストデータには、バーストデータの伝達に必要な時間だけ、特定の波長のデータチャンネルが割当てられるので、光ネットワークの利用効率を高めることができる。
【００２６】
光バーストスイッチング方式におけるデータチャンネルのスイッチ時間Ｔ２は、ミリ秒オーダー以下の時間であり、図１８（ａ）に示される中継ノードのスイッチ切替え時間としては、ミリ秒オーダー以下の切替え時間が要求される。
【特許文献１】特開２０００−２４１７８２号公報
【発明の開示】
【発明が解決しようとする課題】
【００２７】
AOTFを用いた可変波長デバイスをストリーム通信において用いる場合、通信開始前に目的の波長が選択されるようにRF信号が調整される。通信開始後は、入力された目的の波長の信号光に追随する（トラッキング）調整を行うことにより、温度変化等によるRF信号周波数と選択波長の関係の変化に対応することができるので、通信開始前の調整だけを考えれば十分である。
【００２８】
一方、光バーストスイッチング方式では、バーストデータの伝達に必要な時間だけ、ある波長のデータチャンネルが割当てられるので、トラッキングによるRF信号周波数と選択波長の関係修正では不十分であり、波長切替えの度にRF信号周波数と選択波長の関係が正しく認識されている必要がある。
【００２９】
また、AOTF等の可変波長選択デバイスを用いるOADM装置では、可変波長選択デバイスの選択光波長を変化させることにより、広い範囲で単一波長の分岐光を得ることができるが、WDM通信において多重化される波長数が増加し、ネットワークの各地点において分岐・挿入する信号数が増加した場合、分岐・挿入する信号数だけAOTF等の可変波長選択デバイスを揃える必要がある。
【００３０】
このため、OADM装置において、分岐・挿入する信号光数を増加させるためには、分岐・挿入の数に応じた可変波長選択デバイスを備える必用があり、製造コストが増大する。
【課題を解決するための手段】
【００３１】
本発明は、上記課題を解決するものであって、第１の発明による波長選択モジュールは、複数の異なる波長の光が多重化された光を入力し外部より与えられた制御信号に応じた複数の波長の光を選択し出力する波長選択部と、前記波長選択部の出力光を波長ごとに分波し出力する分波手段を備えたことを特徴とする。
【００３２】
第２の発明による波長選択モジュールは、第１の発明による波長選択モジュールであって、前記分波手段の出力光を入力し、不要の波長の光を減衰して出力する手段を備えたことを特徴とする。
【００３３】
第３の発明による波長選択モジュールは、複数の異なる波長の光を入力し外部より与えられた制御信号に応じた複数の波長の光を選択し出力する波長選択部と、前記波長選択部の出力を第１および第２の光に分岐する分岐手段と、前記第２の光を入力し特定の波長の光を選択的に透過する第１のフィルタと、前記制御信号と前記第１のフィルタの出力と前記フィルタの透過波長に基づき、前記波長選択部に与えられた制御信号と選択波長との関係を調整する制御部とを備えたことを特徴とする。
【００３４】
第４の発明による波長選択モジュールは、出力波長が一定である基準光源と、複数の異なる波長の光を含む入力光と前記基準光源の出力光を合波する合波手段と、前記合波手段の出力光を入力し外部より与えられた制御信号に応じた複数の波長の光を選択し出力する波長選択部と、前記波長選択部の出力を第１および第２の光に分岐する分岐手段と、前記第２の光を入力し前記基準光源の出力光波長の光を選択的に透過する第１のフィルタと、前記制御信号と前記第１のフィルタの出力と前記基準光源の波長に基づき、前記波長選択部に与えられた制御信号と選択波長との関係を調整する制御部とを備えたことを特徴とする。
【００３５】
第５の発明による波長選択モジュールは、出力波長が一定である第１および第２の基準光源と、複数の異なる波長の光を含む入力光と前記第１および第２の基準光源の出力光を合波する合波手段と、前記合波手段の出力光を入力し外部より与えられた制御信号に応じた複数の波長の光を選択し出力する波長選択部と、前記波長選択部の出力を第１ないし第３の光に分岐する分岐手段と、前記第２の光を入力し前記第１の基準光源の出力光波長の光を選択的に透過する第１のフィルタと、前記第３の光を入力し前記第２の基準光源の出力光波長の光を選択的に透過する第２のフィルタと、前記制御信号と前記第１のフィルタの出力と前記第１の基準光源の波長の関係および前記制御信号と前記第２のフィルタの出力と前記第２の基準光源の波長の関係に基づき、前記波長選択部に与えられた制御信号と選択波長との関係を調整する制御部とを備えたことを特徴とする。
【００３６】
第６の発明による波長選択モジュールは、第３ないし第５の発明による波長選択モジュールであって、前記制御部は前記第１または第２のフィルタにより選択的に透過される光を前記波長選択部で連続的に選択するように前記制御信号を制御することを特徴とする。
【００３７】
第７の発明による波長選択モジュールは、第３ないし第５の発明による波長選択モジュールであって、前記制御部は前記第１または第２のフィルタにより選択的に透過される光に対応する前記制御信号の出力を抑制することにより、前記第１または第２のフィルタにより選択的に透過される光の波長の前記第１の光への出力を抑制することを特徴とする。
【００３８】
第８の発明による波長選択モジュールは、第３ないし第５の発明による波長選択モジュールであって、第１の光を入力し前記制御部は前記第１または第２のフィルタにより選択的に透過される光の波長を減衰する第３のフィルタを備えることを特徴とする。
【００３９】
また、本発明による可変波長選択モジュールを光挿入・分岐装置に適用することにより、使用する波長選択部の数を大幅に増やすことなく、同時に分岐・挿入することのできる信号光波長数を増やすことができる。
【発明の効果】
【００４０】
本発明による波長選択モジュールによれば、波長多重された複数の異なる波長の光から、選択的に２つ以上の異なる波長の光を多重分離して出力する波長選択モジュールが構成される。
【００４１】
また、本発明による波長選択モジュールを光挿入・分岐装置に適用することにより、使用する波長選択部の数を大幅に増やすことなく、同時に分岐・挿入することのできる信号光波長数を増やすことができる。
【００４２】
また、本発明による波長選択モジュールによれば、特定の波長の光を選択中に、制御信号と選択波長の関係を調整することができるので、光バーストスイッチング方式等の運用形態等の選択波長が頻繁に切り替わり制御信号と選択波長の関係を調整する時間を別途設けることができない場合においても、目的の波長の信号光を選択することができる。
【発明を実施するための最良の形態】
【００４３】
〔ａ〕第１の実施形態
以下、本発明の実施形態を示す。図１に示される本発明の第１の実施形態による波長選択モジュールは、波長選択部１Ａと、制御部（CTRL）３Ａ、RF信号発生部（RF OSC）２Ａ〜２Ｂ、混合部（Mixer）７Ａ、モニタ部（MON）４Ａ、カプラ９Ａと、分波手段としての波長分離フィルタ８Ａ、光フィルタ５Ａ〜５Ｂにより構成される。
【００４４】
波長選択部１Ａは複数波長の光が多重化された入力光から、外部の制御信号により複数の波長の光を選択し出力することができる波長選択素子であり、AOTF等の素子を用いることができる。
【００４５】
AOTFは、図１８に示されるように、入力（IN）ポートに入力した光のうち、RF信号入力ポートを通じてIDT２１Ａに印加されたRF信号の周波数に対応した波長の光を選択し、分岐（DROP）ポートより出力する。RF信号入力ポートに複数の周波数のRF信号を入力した場合は、それぞれのRF信号周波数に対応した波長の光が選択され、出力される。
【００４６】
RF信号発生部２Ａおよび２Ｂは、制御部３Ａの制御により、目的とする選択波長に対応するRF信号を発生する。図１３（ａ）および（ｂ）は、RF信号発生部の構成の一例を示したものであり、デジタル直接合成発振器（DDS；Direct Digital Synthesizer）より発生したRF信号を増幅・フィルタし出力することにより、目的の周波数のRF信号を出力する。
【００４７】
カプラ９Ａは、波長選択部１Ａより出力された光の一部をモニタ部４Ａに分波し、残りの光を波長分離フィルタ８Ａに出力する。
【００４８】
波長分離フィルタ８Ａは、カプラ９Ａからの出力を、光フィルタ５Ａおよび光フィルタ５Ｂに分離するフィルタである。第１の実施形態による波長分離フィルタ８Ａは、カプラ９Ａより出力された光のうちＣバンドの波長領域にある光を光フィルタ５Ａに、Ｌバンドの波長領域にある光を光フィルタ５Ｂに分波し出力する。
【００４９】
波長分離フィルタ８Ａとしては、大きな帯域波長を分けることができるローパスフィルタまたはハイパスフィルタを用いることができ、ローパスフィルタまたはハイパスフィルタの透過波長と反射波長の光を用いれば、波長帯域を２分割し、別々の出力とすることができる。波長帯域を２分割するフィルタの構成は、特定の波長を抽出するフィルタの構成よりも簡単であり、低コストである。
【００５０】
光フィルタ５ＡはＣバンド領域の光のみを透過する光フィルタであり、波長分離フィルタ８Ａにより分波された光のＣバンド領域以外の光を減衰させるので、波長選択部１Ａにより選択されたＣバンドの光のみが光フィルタの出力（OUT）ポート１に出力される。
【００５１】
同様に、光フィルタ５ＢはＬバンド領域の光のみを透過する光フィルタであり、波長分離フィルタ８Ａにより分波された光のＬバンド領域以外の光を減衰させるので、波長選択部１Ａにより選択されたＬバンドの光のみが光フィルタの出力（OUT）ポート２に出力される。
【００５２】
光フィルタ５Ａおよび５Ｂは、波長分離フィルタ８Ａの分波動作を補うフィルタであるので、透過帯域が広い、ローパスフィルタやハイパスフィルタ等のコストの安いフィルタを用いることができる。
【００５３】
すなわち、安価な構成の波長分離フィルタ８Ａと、安価な光フィルタ５Ａおよび５Ｂを組み合わせることで、波長選択部１Ａで選択した複数波長の光は、単波長を選択したときと同様に、出力（OUT）ポート１および２より出力することができる。
【００５４】
モニタ部４Ａは、カプラ９Ａにより分波された光を入力し、その強度をデジタル信号として制御部３Ａに出力する。図１６（ａ）は、モニタ部４Ａの一例であり、入力された光をフォトダイオード（PD）５５Ａで受光し、電気信号に変換した後、電流−電圧変換用Logアンプ５６ＡによりLogレベルで増幅する。電流−電圧変換用Logアンプ５６Ａの出力は、非反転増幅器５７Ａで増幅され、ローパスフィルタ（LPF）５８Ａでフィルタされた後、アナログ−デジタル変換器（ADC）３１Ａによりデジタル信号へと変換され、出力される。モニタ部４Ａでは、電流−電圧変換用Logアンプ５６Ａを用いることにより、幅広いダイナミックレンジの強度の光をデジタル信号として出力することができるので、波長分離フィルタ８Ａにより分波されて入力した光の強度の大小に関わらず、入力光強度と関連付けられたデジタル信号として出力することができる。
【００５５】
制御部３Ａは、モニタ部から出力されるデジタル信号を入力し、RF信号発生部２Ａおよび２Ｂから発生する周波数・振幅・位相を規定する制御信号を出力する。制御部３Ａは、図１６（ｂ）に示されるように、MPU部２７Ａ、ROM部２８Ａ、RAM部２９Ａ、EEPROM部３０Ａにより構成される。ROM部２７Ａは、制御部を動作させるプログラム等を格納手段として、RAM部２９Ａは一時的なデータ記憶手段として、EEPROM部３０Ａは設定情報を記憶する手段として用いられる。
【００５６】
（RF信号発生部の構成１）
図１３（ａ）は、乗算器により選択波長に対応するRF信号を発生させるRF信号発生部の構成であり、特願2000-149555号出願明細書に記載されたものである。図１３（ａ）に示されるRF信号発生部は、DDS５１Ａ、バンドパスフィルタ（BPF）５２Ａ〜５２Ｃ、高周波増幅器（RF AMP）５３Ａ〜５３Ｃ、乗算器５４Ａにより構成される。
【００５７】
DDS５１Ａは、外部からの制御信号により指定された周波数（85MHz〜90MHz）の、位相が互いにπ／２ずれたRF信号（以後、両者をサイン波信号、コサイン波信号と呼ぶ）を出力する。DDS５１Ａより出力されたサイン波信号およびコサイン波信号は、それぞれバンドパスフィルタ５２Ａまたは５２Ｂにより不要波成分を除去され、高周波増幅器５３Ａまたは５３Ｂにより増幅されて、乗算器５４Ａに入力する。
【００５８】
サイン波信号とコサイン波信号は、位相が互いにπ／２ずれているので、乗算器５４Ａにより乗算されて、２倍の周波数（170MHz〜180MHz）で出力される。乗算器５４Ａにより出力されたRF信号は、バンドパスフィルタ５２Ｃにより不要波成分を除去され、高周波増幅器５３Ｃにより増幅されて、RF信号発生部の出力として出力する。
【００５９】
図１３（ａ）に示されるRF信号発生部では、DDSが直接出力できるRF信号の周波数が、波長選択部の選択波長に対応する周波数（170MHz〜180MHz）に至らない場合であっても、乗算器を用いることにより、波長選択部の選択波長に対応する周波数（170MHz〜180MHz）を出力する。
【００６０】
（DDSの構成１）
図１４は図１３（ａ）に用いられるDDS５１Ａの構成を示したものであり、図１４に示されるDDSは、レファレンスクロック乗算器６５Ａ、位相演算器６１Ａ、サイン波／振幅コンバータ６２Ａ、コサイン波／振幅コンバータ６２Ｂ、デジタル乗算器６６Ａ〜６６Ｂ、DA変換器（DAC）６３Ａ〜６３Ｂ、周波数・位相・振幅プログラムレジスタ６４Ａ、データ入力レジスタ６４Ｂにより構成される。
【００６１】
図１４において、外部制御機器からの周波数・位相・振幅の設定情報は、データ入力レジスタ６４Ｂに、ライトタイミング信号、パラレルアドレス信号、パラレルデータ信号として入力される。入力されたそれぞれの情報は、データ入力レジスタ６４Ｂから周波数・位相・振幅プログラムレジスタ６４Ａに入力され、周波数についての位相設定情報は位相演算器６１Ａに、振幅設定情報はデジタル乗算器６６Ａおよび６６Ｂにそれぞれ入力される。
【００６２】
また、DDS５１Ａの外部からのレファレンスクロック信号を基に、レファレンスクロック乗算器６５Ａは基準クロック信号を生成し、位相演算器６１Ａ、デジタル乗算器６６Ａ〜６６Ｂ、DA変換器６３Ａ〜６３Ｂに加える。位相演算器６１Ａは、基準クロック信号による基準時間毎に、０〜２πの位相情報をサイン波／振幅コンバータ６２Ａとコサイン波／振幅コンバータ６２Ｂに入力する。サイン波／振幅コンバータ６２Ａは、サイン波／振幅コンバータ６２Ａ内に保持するサイン波ルックアップテーブルにより振幅データに変換し、コサイン波／振幅コンバータ６２Ｂは、コサイン波／振幅コンバータ６２Ｂに保持するコサイン波ルックアップテーブルにより振幅データに変換する。これにより、位相演算器から出力される０〜２πの位相情報に従って、サイン波／振幅コンバータ６２Ａからサイン波の振幅情報のデジタル信号が、コサイン波／振幅コンバータ６２Ｂからコサイン波の振幅情報のデジタル信号がそれぞれ出力される。
【００６３】
デジタル乗算器６６Ａは、サイン波／振幅コンバータ６２Ａから入力されるサイン波の振幅情報のデジタル信号と、周波数・位相・振幅プログラムレジスタ６４Ａから入力される振幅設定情報による振幅値とを乗算し、DA変換器６３Ａに出力する。同様に、デジタル乗算器６６Ｂは、コサイン波／振幅コンバータ６２Ｂから入力されるコサイン波の振幅情報のデジタル信号と、周波数・位相・振幅プログラムレジスタ６４Ａから入力される振幅設定情報による振幅値とを乗算し、DA変換器６３Ｂに出力する。
【００６４】
DA変換器６３Ａおよび６３Ｂは、それぞれデジタル乗算器６６Ａおよび６６Ｂより出力されたデジタル信号をアナログ信号へと変換し、それぞれサイン波信号およびコサイン波信号として出力する。
【００６５】
図１４に示されるDDSの構成では、サイン波およびコサイン波のデジタル信号の振幅情報と、周波数・位相・振幅プログラムレジスタの振幅設定情報に基づき、出力するサイン波信号およびコサイン波信号の振幅を定めるので、可変減衰器を設けることなく、所望の振幅値の信号出力に制御することができる。
【００６６】
また、DDSの出力周波数を変化させる場合、パラレルデータ信号により位相演算器６１Ａに加えられる周波数についての位相設定情報を変え、出力信号の周波数を変化させるので、PLL回路を用いた場合の周波数変化と比較して迅速である。DDSを波長選択部のRF信号源に用いた場合、波長選択部の選択周波数切替えに要する時間は、例えば１μｓ程度とすることができ、PLLを波長選択部のRF信号源に用いた場合と比較して、約１０００倍高速である。
【００６７】
（RF信号発生部の構成２）
図１３（ｂ）は、乗算器により選択波長に対応するRF信号を発生させるRF信号発生部の別の構成である。図１３（ｂ）に示されるRF信号発生部は、DDS５１Ｂ、バンドパスフィルタ（BPF）５２Ｄ、高周波増幅器（RF AMP）５３Ｄにより構成される。
【００６８】
DDS５１Ｂは、外部からの制御信号により指定された周波数（170MHz〜180MHz）を出力する。DDS５１Ｂより出力されたRF信号は、バンドパスフィルタ５２Ｄにより不要波成分を除去され、高周波増幅器５３Ｄにより増幅されて、RF信号発生部の出力として出力する。
【００６９】
図１３（ｂ）に示されるRF信号発生部では、波長選択部の選択波長に対応する周波数（170MHz〜180MHz）をDDSが直接出力できるため、DDSが直接出力できる周波数範囲が狭い図１３（ａ）の場合に比べて、構成が簡素となる。
【００７０】
（DDSの構成２）
図１５は図１３（ｂ）に用いられるDDS５１Ｂの説明図であり、レファレンスクロック乗算器６５Ａ、位相演算器６１Ａ、サイン波／振幅コンバータ６２Ａ、デジタル乗算器６６Ａ、DA変換器（DAC）６３Ａ、周波数・位相・振幅プログラムレジスタ６４Ａ、データ入力レジスタ６４Ｂにより構成される。
【００７１】
図１５に示されるDDSは、図１４に示されるDDSの構成と基本的に同じであるが、位相演算器６１Ａ、デジタル乗算器６６Ａ、DA変換器６３Ａが、図１４に示されるDDSよりも高速に動作することができるため、基準クロック信号を高速に設定して演算速度を高速することにより、波長選択部の選択波長に対応する周波数（170MHz〜180MHz）を直接出力できる点で図１４に示されるDDSと異なる。
【００７２】
図１５において、外部制御機器からの周波数・位相・振幅の設定情報は、データ入力レジスタ６４Ｂに、ライトタイミング信号、パラレルアドレス信号、パラレルデータ信号として入力される。それぞれの情報は、データ入力レジスタ６４Ｂから周波数・位相・振幅プログラムレジスタ６４Ａに入力され、周波数についての位相設定情報は位相演算器６１Ａに、振幅設定情報はデジタル乗算器６６Ａに入力される。
【００７３】
また、DDS５１Ｂの外部からのレファレンスクロック信号を基に、レファレンスクロック乗算器６５Ａは基準クロック信号を生成し、位相演算器６１Ａ、デジタル乗算器６６Ａ、DA変換器６３Ａに加える。位相演算器６１Ａは、基準クロック信号による基準時間毎に、０〜２πの位相情報をサイン波／振幅コンバータ６２Ａに入力する。サイン波／振幅コンバータ６２Ａは、サイン波／振幅コンバータ６２Ａ内に保持するサイン波ルックアップテーブルにより振幅データに変換する。これにより、位相演算器から出力される０〜２πの位相情報に従って、サイン波／振幅コンバータ６２Ａからサイン波の振幅情報のデジタル信号が出力される。
【００７４】
デジタル乗算器６６Ａは、サイン波／振幅コンバータ６２Ａから入力されるサイン波の振幅情報のデジタル信号と、周波数・位相・振幅プログラムレジスタ６４Ａから入力される振幅設定情報による振幅値とを乗算し、DA変換器６３Ａに出力する。DA変換器６３Ａはデジタル乗算器６６Ａからの出力デジタル信号をアナログ信号へと変換し、サイン波信号として出力する。
【００７５】
図１５に示されるDDSの構成では、サイン波のデジタル信号の振幅情報と、周波数・位相・振幅プログラムレジスタの振幅設定情報に基づき、出力するサイン波信号の振幅を定めるので、可変減衰器を設けることなく、所望の振幅値の信号出力に制御することができる。
【００７６】
また、波長選択部の選択波長に対応する周波数（170MHz〜180MHz）をDDSが直接出力できるため、DDSの後段に周波数を逓倍する構成、例えば乗算器等を備えなくてもよく、更なる回路の小型が可能である。
【００７７】
さらに、DDSの出力周波数を変化させる場合、パラレルデータ信号の変化により位相演算器６１Ａに加えられる周波数についての位相設定情報が変化させ、出力信号の周波数を変化させるので、PLL回路を用いた場合の周波数変化と比較して迅速である。DDSを波長選択部のRF信号源に用いた場合、波長選択部の選択周波数切替えに要する時間は、例えば１μｓ程度とすることができ、PLLを波長選択部のRF信号源に用いた場合と比較して、約１０００倍高速である。
【００７８】
（第１の実施形態による波長選択動作）
次に、本発明の第１の実施形態による波長選択モジュールの動作について説明する。
【００７９】
図１に第１の実施形態による波長選択モジュールの構成を示す。また、図２（ａ）〜（ｄ）に第１の実施形態による波長選択モジュールの各段階の構成における光のスペクトルを、横軸を波長、縦軸を光強度としたものを模式的に示す。図２（ａ）は波長選択部１Ａの入力ポートに入力する光のスペクトルを、図２（ｂ）は波長選択部１Ａの出力ポートより出力され波長分離フィルタ８Ａに入力する光のスペクトルを、図２（ｃ）は波長分離フィルタ８Ａより出力され光フィルタ５Ａに入力する光のスペクトルを、図２（ｄ）は光フィルタ５Ａの出力（OUT）ポートに出力される光のスペクトルをそれぞれ示す。
【００８０】
図１において、入力したWDM信号光は、波長選択部１Ａの入力ポートに入力される。波長選択部１Ａに入力された光は、図２（ａ）に示されるように、ＣバンドおよびＬバンドの光が波長多重された光である。波長選択部１ＡのRF信号入力ポートには、RF信号発生部２Ａおよび２Ｂから、混合部７Ａを通じて、複数周波数を含むRF信号が入力される。
【００８１】
波長選択部１Ａとして図１８に示されるAOTFを用いた場合、波長選択部１Ａの入力ポートはAOTFの入力(IN)ポートに、波長選択部１Ａの出力ポートはAOTFの分岐(DROP)ポートに対応する。AOTFの入力(IN)ポートに入力したWDM信号光のうち、印加されたRF信号の周波数に対応する波長の光は、モード変換されることにより分岐（DROP）ポートに出力され、その他の波長の光は透過（THRU）ポートに出力される。混合部７Ａより波長選択部１Ａに出力されるRF信号は、RF信号発生部２Ａおよび２Ｂから出力されたものであり、その周波数は制御部３Ａにより定められる。
【００８２】
RF信号発生部２Ａおよび２Ｂにより出力されるRF信号の周波数をそれぞれf1およびf2、波長選択部１Ａに周波数f1およびf2のRF信号が入力された場合にモード変換される光の波長をそれぞれλ1、λ2とすると、波長はλ1、λ2の光が波長選択部１ＡであるAOTFの分岐（THRU）ポートより出力される。
【００８３】
ここで、λ1をＣバンドの波長帯域に、λ2をＬバンドの波長帯域にあるように、f1およびf2を定める。これにより、図２（ｂ）に示されるように、波長選択部１Ａの分岐（DROP）ポートからの出力光は、Ｃバンドの波長領域にある光（波長λ1）と、Ｌバンドの波長領域にある光（波長λ2）とが多重化されたものとなる。
【００８４】
波長分離フィルタ８Ａは、Ｃバンドの波長領域にある光を光フィルタ５Ａに、Ｌバンドの波長領域にある光を光フィルタ５Ｂに出力するフィルタであるので、波長λ1の光は光フィルタ５Ａに出力され、波長λ2の光は光フィルタ５Ｂに出力される。図２（ｃ）実線は波長分離フィルタ８Ａより出力され光フィルタ５Ａに入力する光のスペクトルであり、Ｃバンドの波長領域にある波長λ1の光と、波長分離フィルタ８Ａのアイソレーションが完全でないことに起因する、Ｌバンドの波長領域にある波長λ2の光が波長分離フィルタ８Ａより光フィルタ５Ａに出力される。
【００８５】
光フィルタ５ＡはＣバンド領域の光のみを透過する光バンドパスフィルタであり、図２（ｃ）点線で示される特性を持つので、波長分離フィルタ８Ａより光フィルタ５Ａに入力された光は、この特性に従いフィルタされる。これにより、光フィルタ５Ａの出力は、図２（ｄ）に示されるように、波長λ1の光のみとなり、出力（OUT）ポート１に出力される。
【００８６】
同様に、波長分離フィルタ８Ａより光フィルタ５Ｂに入力する光も、光フィルタ５ＢのＬバンド領域の光のみを透過する特性によりフィルタされ、光フィルタ５Ｂの出力は、波長λ2の光のみとなり、出力（OUT）ポート２に出力される。
【００８７】
また、カプラ９Ａより分波され、モニタ部（MON）４Ａに入力した光の強度は、図１６（ａ）に示されるように、デジタル信号として制御部３Ａに出力されるので、この信号を用いて、RF信号発生部２Ａおよび２Ｂから出力されるRF信号の強度や周波数を制御することができる。
【００８８】
（第１の実施形態による選択波長補正動作）
第１の実施形態において、波長選択部の温度が変動し、RF信号周波数と選択波長との関係が変化した場合、RF信号発生部２Ａまたは２Ｂの出力周波数を変化させ、モニタ部４Ａの出力信号を利用することにより、目的の波長の光を選択できるように補正することができる。
【００８９】
波長選択部の選択波長スペクトルは、選択波長の上下にサイドローブを持つが、サイドローブの強度は選択波長の光強度よりも弱いので、モニタ部４Ａの出力であるADC３１Ａの電圧値により、波長選択部１Ａに印加しているRF信号周波数に対応した波長が、波長選択部の入力光波長であることを識別することができる。波長選択部としてAOTFを用いた場合、図１８に示されるように、IDT２１Ａに印加するRF信号の周波数を増加させると、SAW導波路２２Ａを伝搬するSAWの波長は短くなるので、波長選択部により選択される光の波長も短くなる。
【００９０】
RF信号周波数と選択波長は反比例の関係にあり、RF信号周波数の微小な減少に対しては、選択波長は比例して増加する。したがって、ある光波長に対応するRF信号周波数と、RF信号周波数に対する光波長の変化率が得られれば、任意の光波長に対応するRF信号周波数を算出することができる。RF信号周波数に対する光波長の変化率は温度に対してほとんど変化しないので、この値を記憶しておけば、ある光波長に対応するRF信号周波数を得ることにより、任意の波長の光に対応するRF信号周波数を得ることができる。
【００９１】
同様に、あるチャンネルのWDM信号に対応するRF信号の周波数と、WDM信号光１チャンネルあたりのRF周波数が得られれば、別のチャンネルのWDM信号に対応するRF信号の周波数を得ることができる。
【００９２】
以下に、図３（ａ）を参照しながら、第１の実施形態における、温度変化等によるRF信号周波数と選択波長の関係の変化を補正する方法について説明する。
【００９３】
まず、波長選択部１Ａに印加するRF信号を１つの周波数のみとする。図３（ａ）は、波長選択部１Ａの選択波長を長波長側から減少させるときの、WDM信号光と選択波長との関係を、横軸に波長、縦軸に光の強度をとり、模式的に表したものである。RF信号発生部２Ａより出力するRF信号の周波数を170MHzから1kHzステップで増加させると、RF信号の周波数の増加により、波長選択部１Ａの選択波長は減少するので、図３（ａ）点線で示されるように波長選択部１Ａの選択波長は短波長側へと変化する。
【００９４】
RF信号の周波数を増加させ、波長選択部の選択波長を短波長側へと変化させることにより、モニタ部４Ａの出力が最初に入力光の選択状態となったとき、モニタ部４Ａのピーク出力時に波長選択部１Ａに印加しているRF信号の周波数を、最長波長に対応するRF周波数ｆLとして記録する。周波数ｆLのRF信号に対応する選択波長λLは、図３（ａ）に示されるように、WDM信号光の最長波長の信号光波長である。
【００９５】
図３（ａ）は、波長選択部１Ａの選択波長を長波長側から減少させるときの、WDM信号光と選択波長との関係を、横軸に波長、縦軸に光の強度をとり、模式的に表したものである。次に、RF信号発生部２Ｂより出力するRF信号の周波数を180MHzから1kHzステップで減少させると、RF信号の周波数の減少により、波長選択部１Ａの選択波長は増加するので、図３（ｂ）点線で示されるように波長選択部１Ａの選択波長は長波長側へと変化する。
【００９６】
RF信号の周波数を減少させ、波長選択部の選択波長を長波長側へと変化させることにより、モニタ部４Ａの出力が最初に入力光の選択状態となったとき、モニタ部４Ａのピーク出力時に波長選択部１Ａに印加しているRF信号の周波数を、最長波長に対応するRF周波数ｆHとして記録する。周波数ｆLのRF信号に対応する選択波長λLは、図３（ｂ）に示されるように、WDM信号光の最短波長の信号光波長である。
【００９７】
WDM通信において通常用いられる監視制御光の情報等により得られるWDM信号の信号数と、ｆLおよびｆHの差から、WDM信号光１チャンネルあたりのRF周波数Δｆを求めることができるので、最短波長からｎ番目の信号光波長に対応するRF信号の周波数は、 ｆH − （ｎ − １）×Δｆ として得られる。したがって、波長選択部の温度変化によるRF信号周波数と選択波長の関係が変化しても、モニタ４Ａの出力を利用することにより補正をすることができる。
【００９８】
このように、本発明の第１の実施形態によれば、１つの波長選択部を用いて、波長多重されていない２波長の光を選択し、出力することができる波長選択モジュールを簡易に構成することができる。
【００９９】
また、モニタ出力を利用し、WDM信号光の最長波長と最短波長に対応するRF信号周波数を記録し、他より得られるWDM信号光の信号数とを組み合わせることにより、波長選択部の温度変化等によるRF周波数と選択波長関係の変化を補正することができる。
【０１００】
さらに、波長選択部としてAOTFを用いた場合では、複数の波長の光を同時に選択する場合、同時に選択することによる引き寄せ効果等の影響を考慮してRF信号の周波数を定める必要があるが、第１の実施形態のようにλ1をＣバンドの波長帯域に、λ2をＬバンドの波長帯域にあるように選択光の波長を定めた場合は、両者の選択波長が離れているので、引き寄せ効果の影響はほとんど考慮しなくてもよい。
【０１０１】
〔ｂ〕第２の実施形態
図５に本発明の第２の実施形態による波長選択モジュールを示す。第２の実施形態による波長選択モジュールは、複数波長を選択可能な波長選択部１Ａと、制御部（CTRL）３Ａ、RF信号発生部（RF OSC）２Ａ〜２Ｂ、混合部（Mixer）７Ａ、モニタ部（MON）４Ａ〜４Ｂ、光フィルタ５Ｃ〜５Ｄ、カプラ９Ａ〜９Ｂにより構成される波長選択モジュールである。波長選択部１Ａ、RF信号発生部２Ａ〜２Ｂ、混合部７Ａの動作は第１の実施形態と同様である。
【０１０２】
第２の実施形態においては、波長選択部としてAOTFを用い、AOTFに印加されるRF信号の周波数とAOTF選択波長の関係の補正を、監視制御光を用いて行う波長選択モジュールである。
【０１０３】
光フィルタ５Ｃは監視制御光の波長を減衰させるフィルタであり、カプラ９Ａで分岐された光のうち、カプラ９Ｂを通じて出力される波長選択モジュールの出力に監視制御光が含まれないように、監視制御光波長を阻止し、他の波長の光を透過する。
【０１０４】
一方、光フィルタ５Ｄは、カプラ９Ａより分岐された光より、監視制御光波長の光を選択的に透過するフィルタであり、フィルタ後の光はモニタ４Ａに入力される。監視制御光の波長を選択的に透過するとは、波長選択部１Ａより出力される光のうち、監視制御光の波長のみが透過されるということであり、例えば、波長多重された信号光の波長よりも監視制御光の波長が短い場合はローパスフィルタを用いることができるし、波長多重された信号光の波長の間に監視制御光がある場合は、バンドパスフィルタを用いることができる。
【０１０５】
モニタ部４Ａは、カプラ９Ａにより分波され、フィルタ５Ｄによりフィルタされた光を入力し、その強度をデジタル信号として制御部３Ａに出力する。モニタ部４Ａの構成は、第１の実施形態におけるモニタ部と同様であり、ダイナミックレンジの広い電流−電圧変換用Logアンプにより得られる、入力光強度と関連付けられたデジタル信号を、制御部３Ａに出力する。
【０１０６】
第２の実施形態では、印加されたRF信号周波数に対応する波長の光が波長選択部１Ａよりカプラ９Ａに出力されるので、カプラ９Ｂおよび波長選択モジュールの出力には、波長選択部１Ａの選択光のうち、監視制御光波長以外の光が出力される。また、モニタ４Ａには、監視制御光波長に対応する周波数のRF信号が波長選択部１Ａに印加されたときは、監視制御光が入力される。
【０１０７】
制御部３Ａは、モニタ部４Ａから出力されるデジタル信号を入力し、RF信号発生部２Ａおよび２Ｂから発生する周波数・振幅・位相を規定する制御信号を出力する。制御部３Ａは、第１の実施形態と同様、図１６（ｂ）に示される構成となっている。
【０１０８】
（第２の実施形態の動作説明）
次に、本発明の第２の実施形態による波長選択モジュールの動作について説明する。
【０１０９】
図５に示される、本発明の第２の実施形態による波長選択モジュールは、波長選択部１ＡであるAOTFに印加されるRF信号の周波数とAOTF選択波長の関係の補正を、監視制御光を用いて行う波長選択モジュールである。
【０１１０】
第２の実施形態においては、カプラ９Ａの分岐光のうち、波長選択モジュールの出力光となる光には、監視制御光を阻止するフィルタ５Ｃを、監視制御光をモニタするモニタ４Ａに入力される光には、監視制御光以外のWDM信号光等を阻止するフィルタ５Ｄを設けている。
【０１１１】
フィルタ５Ｃおよび５Ｄを設けることにより、監視制御光を選択するように、波長選択部１Ａに印加するRF信号を変化させる動作を、WDM信号光を選択する動作に影響を与えずに行うことができるので、RF信号と選択波長の関係を補正する動作を、WDM信号光の選択動作とは独立に行うことができる。
【０１１２】
これにより、例えば、バーストスイッチング方式に用いられる波長スイッチ等の、新たな波長の選択を行う際に許容される時間が短く、新たな波長の選択を行う前にRF信号周波数と選択波長の関係を調整することができない場合においても、常にRF信号周波数と選択波長の関係を調整することができるので、新たな波長の光を選択する際に、正しい波長の選択を行うことができる。
【０１１３】
図５において、波長選択モジュールに入力された監視制御光およびWDM信号光は、波長選択部１Ａに入力される。波長選択部１ＡのRF信号入力ポートには、RF信号発生部２Ａおよび２Ｂから、混合部７Ａを通じて、複数周波数を含むRF信号が入力される。
【０１１４】
第１の実施形態と同様に、波長選択部１Ａとして図１８に示されるAOTFを用いた場合、波長選択部１Ａの入力ポートはAOTFの入力(IN)ポートに、波長選択部１Ａの出力ポートはAOTFの分岐(DROP)ポートに対応する。AOTFの入力(IN)ポートに入力したWDM信号光のうち、印加されたRF信号の周波数に対応する波長の光は、モード変換されることにより分岐（DROP）ポートに出力され、その他の波長の光は透過（THRU）ポートに出力される。混合部７Ａより波長選択部１Ａに出力されるRF信号は、RF信号発生部２Ａおよび２Ｂから出力されたものであり、その周波数は制御部３Ａにより定められる。
【０１１５】
RF信号発生部２Ａおよび２Ｂにより出力されるRF信号の周波数をそれぞれf1およびf2、波長選択部１Ａに周波数f1およびf2のRF信号が入力された場合にモード変換される光の波長をそれぞれλ1、λ2とすると、波長はλ1、λ2の光が波長選択部１ＡであるAOTFの分岐（THRU）ポートより出力される。
【０１１６】
第２の実施形態においては、波長選択部１Ａが複数波長を選択可能であることを利用し、選択波長として選択波長モジュールとして出力される１または複数の光の波長を選択するとともに、監視制御光の波長を選択している。
【０１１７】
監視制御光は、WDM信号光に影響を与えないように、WDM信号光の波長から離れた波長に配置され、また、信号光とは異なり、停波することがない。監視制御光の波長がWDM信号光の波長よりも短い場合における、RF信号周波数と選択波長の関係の補正について、以下に説明する。
【０１１８】
図４グラフ横軸下の軸に示されるように、波長選択部１ＡとしてAOTFを用いた場合、波長選択部１Ａに印加するRF周波数を増加させることにより波長選択部１Ａの選択波長は減少する。
【０１１９】
RF信号発生部２Ａより出力するRF信号の周波数を180MHzから1kHzステップで減少させると、RF信号の周波数の現象により、波長選択部１Ａの選択波長は増加するので、波長選択部１Ａの選択波長は短波長側から長波長側へと変化する。
【０１２０】
監視制御光の波長はWDM信号光の最短波長よりも長いので、RF信号の周波数を減少させ、波長選択部の選択波長を長波長側へと変化させる。フィルタ５Ｄにより、監視制御光の波長のみが透過されるので、モニタ部４Ａにモニタされた監視制御光の強度が最大となった時に、波長選択部１Ａに印加しているRF信号の周波数を、監視制御光の波長λ-OSCに対応するRF周波数ｆ-OSCとして記録する。
【０１２１】
第１の実施形態において説明したように、RF信号周波数に対する光波長の変化率をあらかじめ記憶しておけば、ある光波長に対応するRF信号周波数を得ることにより、任意の波長の光に対応するRF信号周波数を得ることができる。第２の実施形態においては、WDM信号光の各チャンネルの周波数を監視制御信号等から得ることができるので、監視制御光の波長λ-OSCに対応するRF信号周波数ｆ-OSCを求めることにより、WDM信号光の各チャンネルの光波長に対応するRF信号周波数を求めることができる。
【０１２２】
したがって、波長選択部の温度変化によるRF信号周波数と選択波長の関係が変化しても、監視制御光を利用することにより、RF周波数と選択波長関係の変化を補正することができる。
【０１２３】
上記のように、光強度の最大値を与えるRF信号の周波数を判別するために、RF信号の周波数を第１の周波数間隔、例えば1KHz、で変えながら光強度検出手段によって所定波長の光信号を検出し、その光強度が最大となる第１の最大値を判別する動作をスキャニングという。
【０１２４】
上述のスキャニングにより、監視制御光に対応するRF信号周波数ｆ-OSCを検出後は、以下に述べるトラッキング処理により、波長選択部１Ａの特性変化に対応し、RF周波数と選択波長関係の変化の補正を行うことができる。
【０１２５】
目的の光波長に対応するRF周波数の前後で微小に周波数を変化させ、モニタされた選択光強度が最大となる周波数を探索する動作を定期的に行うことを周波数トラッキングという。温度変化や経年変化など周囲環境変化によるAOTFの特性変化により、目的の光波長に対応するRF周波数が変化するが、スキャニングにより目的の光を選択した後、周波数トラッキングを行うことにより、変化に追従して監視制御光波長に対応するRF周波数を求めることができる。
【０１２６】
第２の実施形態においては、フィルタ５Ｃを設けることにより、監視制御光が波長選択部１Ａで選択されても、波長選択モジュールの出力（OUT）には出力されないので、監視制御光に対応するRF周波数を求めるためにスキャニングやトラッキングを行っても、波長選択モジュールの出力（OUT）には影響を及ぼさないので、監視制御光波長とRF信号周波数との関係をトラッキングにより一定の間隔で更新し、RF信号周波数と波長選択部１Ａの選択波長の関係を更新することで、常にRF信号周波数と選択波長の関係を調整することができるので、新たな波長の光を選択する際に、正しい波長の選択を行うことができる。
【０１２７】
これにより、波長選択部がWDM信号光を選択している場合は、トラッキングにより目的の信号光を選択し続けることができ、また、新たな波長のWDM信号光を選択する際には、監視制御光のトラッキングにより更新された、RF信号周波数と選択波長の関係により、新たな目的の信号光を選択することができる。
【０１２８】
外部よりRF信号を印加し、AOTFにより波長選択を行う場合、RF信号の周波数により選択波長が変化し、RF信号の強度により選択波長光強度が変化する。図１０は、RF信号の信号強度と選択波長の強度との関係を示したものである。
【０１２９】
図１０に示されるように、選択波長の強度は特定のRF信号強度で最大となる。目的の光波長に対応するRF周波数において、RF信号の強度を変化させ、モニタされた選択光強度が最大となるRF信号の強度を探索することをパワートラッキングという。
【０１３０】
WDM信号光を波長選択部１Ａで選択する際には、周波数トラッキングおよびパワートラッキングを行うことにより、目的の光波長に対応し、光出力が最大となるようなRF信号の周波数および強度に制御される。
【０１３１】
第２の実施形態においては、フィルタ５Ｃを設けることにより、監視制御光が波長選択部１Ａで選択されても、波長選択モジュールの出力（OUT）には出力されない構成である。ここで、図１０のRF信号強度と出力光強度の関係を利用することにより、フィルタ５Ｃの監視制御光波長に対するフィルタ特性を緩くすることができる。
【０１３２】
すなわち、モニタ部４Ａは監視制御光の強度をモニタしており、監視制御光に含まれる信号をモニタする必要はないので、波長選択部１Ａによる監視制御光の強度は、WDM信号光を選択する場合ほど強くなくてもよい。図１０に示されるように、RF信号の強度RF信号の強度を弱くすることにより、波長選択部１Ａより出力される光の強度は弱くなる。監視制御光波長に対応するRF信号の強度を落とし、モニタ部４Ａが監視制御光をモニタするのに十分な強度まで、波長選択部１Ａによる監視制御光の出力を抑えることにより、フィルタ５Ｃに入力される監視制御光の強度は減少するから、波長選択モジュールの出力に監視制御光が出力されないために、フィルタ５Ｃに要求される監視制御光波長に対するフィルタ特性は緩くなるので、WDM信号光に対するフィルタ挿入損失を抑えることができる。
【０１３３】
このように、本発明の第２の実施形態によれば、監視制御光と目的の波長の光を選択し、監視制御光をスキャニングおよびトラッキングにより連続的に選択して、波長選択部の温度変化によるRF信号周波数と選択波長との関係を補正する一方、目的の波長の光を任意に切り替えることができる波長選択モジュールが構成される。
【０１３４】
〔ｃ〕第３の実施形態
次に、図６に本発明の第３の実施形態による波長選択モジュールを示す。第３の実施形態による波長選択モジュールは、複数波長を選択可能な波長選択部１Ａと、制御部（CTRL）３Ａ、RF信号発生部（RF OSC）２Ａ〜２Ｂ、混合部（Mixer）７Ａ、モニタ部（MON）４Ａおよび４Ｂ、基準光発生部（REF）６Ａ、光アッテネータ（ATT）１２Ａ、カプラ９Ａおよび９Ｂ、波長分離フィルタ８Ａにより構成される波長選択モジュールである。波長選択部１Ａ、RF信号発生部２Ａ〜２Ｂ、混合部７Ａ、カプラ９Ａ、モニタ部４Ａ、波長分離フィルタ８、光フィルタ５Ａ〜５Ｂの構成および動作は第１の実施形態と同様である。
【０１３５】
基準光発生部６Ａより出力される基準光は、波長選択部１Ａの選択波長が温度により変化する現象を補正するのに用いられる。基準光発生部は、出力光の波長が一定となる機構を内部に持つので、波長選択部の温度が変化し、RF信号周波数と波長選択部の選択波長との関係が変動した場合でも、RF信号の周波数を変化させ、波長選択部が基準光波長を選択するRF信号の周波数を求めることにより、RF信号周波数と波長選択部の選択波長との関係を求め、補正をすることができる。基準光発生部６Ａの出力は、ATT１２Ａにより光強度の調整をされ、カプラ９Ａにより波長選択モジュールの入力光と合波され、波長選択部１Ａの入力ポートに入力する。
【０１３６】
モニタ部４Ａは、カプラ９Ａにより分波された光を入力し、その強度をデジタル信号として制御部３Ａに出力する。モニタ部４Ａの構成は、第１の実施形態におけるモニタ部と同様であり、ダイナミックレンジの広い電流−電圧変換用Logアンプにより得られる、入力光強度と関連付けられたデジタル信号を、制御部３Ａに出力する。
【０１３７】
第３の実施形態では、波長選択部１Ａの入力ポートには、波長選択モジュールの入力光と基準光が合波された光が入力されるので、モニタ部４Ａには、波長選択モジュールの入力光と基準光が合波された光のうち、波長選択部１Ａに印加されたRF信号周波数に対応する波長の光が入力される。
【０１３８】
制御部３Ａは、モニタ部４Ａから出力されるデジタル信号を入力し、RF信号発生部２Ａおよび２Ｂから発生する周波数・振幅・位相を規定する制御信号を出力する。制御部３Ａは、第１の実施形態と同様、図１６（ｂ）に示される構成となっている。
【０１３９】
（基準光発生部の構成）
基準光発生部６Ａは、図１７に示されるように、波長固定機能を有するLD（Laser Diode）部４２Ａと、その制御回路により構成される。LD部４２Ａの内部では、LD３５Ａの出力光を受光するPD（Photo Diode）３６Ａと、LD３５Ａの出力光をフィルタ３７Ａによりフィルタした光を受光するPD３６Ｂが、LD３５Ａの光出力をモニタする。PD３６Ａおよび３６Ｂの出力電流は、それぞれPDモニタ回路（PD MON）３４Ａおよび３４Ｂにより電圧に変換され、それぞれAD変換器（ADC）３１Ｂおよび３１Ｃによりデジタル信号へと変換され、制御部３Ｂへと入力される。
【０１４０】
また、LD部４２Ａの温度は、サーミスタ３８Ａを通じて温度制御部（TEMP CTRL）４１Ａによりモニタされており、温度制御部４１Ａは、温度制御回路ドライバ（TEC DRV）４０Ａを通じて温度制御回路３９Ａ（TEC）により、LD部４２Ａの温度を制御する。温度制御部のモニタするLD部４２Ａの温度情報は、AD変換器３１Ａによりデジタル信号へと変換され、制御部３Ａへと入力される。
【０１４１】
制御部３Ｂは、AD変換器３１Ｂおよび３１Ｃを通じて得られる、LD部４２Ａ内のPD３６Ａおよび３６Ｂの出力電流の情報から、DA変換器３２Ａを通じて温度制御部４１Ａを制御し、LD部４２Ａの温度を変化させ、LD３５Ａの出力光の波長が一定となるように制御する。また、制御部３Ｂは、LDドライバ（LD DRV）３３Ａを、DA変換器３２Ｂを通じて制御することにより、LD３５Ａに流す電流を変化させ、LD部４２Ａの出力光強度を変化させることもできる。
【０１４２】
なお、図１７に示される基準光発生部を外部機器と組み合わせて使用する場合、例えば図５においては、図１７の制御部３Ｂは、図５の制御部３Ａと別であってもよいし、図５の制御部３Ａが、図１７の制御部３Ｂを兼用してもよい。
（第３の実施形態の動作説明）
次に、本発明の第３の実施形態による波長選択モジュールの動作について説明する。
【０１４３】
図６に示される、本発明の第３の実施形態による波長選択モジュールは、第１の実施形態による波長選択モジュールの波長選択部入力に基準光を合波する構成を加えたものである。
【０１４４】
第２の実施形態と同様に、第３の実施形態においては、フィルタ５Ｃおよび５Ｄを設けることにより、基準光を選択するように波長選択部１Ａに印加するRF信号を変化させる動作を、WDM信号光を選択する動作に影響を与えずに行うことができるので、RF信号と選択波長の関係を補正する動作をWDM信号光の選択動作と独立に行うことができる。
【０１４５】
図６において、基準光発生部６Ａから出力される基準光と、波長選択モジュールの入力光がカプラ９Ａにより合波され、波長選択部１Ａの入力ポートに入力される。波長選択部１Ａは、入力光のうち、混合部７Ａより印加されたRF信号の周波数に対応した波長の光を選択し、カプラ９Ａに出力する。
【０１４６】
第３の実施形態においては、波長選択部の温度が変動し、RF信号周波数と選択波長との関係が変化した場合、基準光発生部６Ａの出力する基準光をモニタ部４Ａで検出することにより、RF信号周波数と選択波長との関係を補正することができる。
【０１４７】
図４は、モニタ部４Ａに入力されるスペクトル強度を、波長に対して示したものである。第３の実施形態において、基準光発生部６Ａの出力する基準光の波長をλref1とし、基準光の波長λref1は信号光の最長波長よりも長いものとする。また、信号光の強度よりも小さく、信号光のサイドローブ強度よりも大きい強度で、基準光がモニタ部４Ａに観測されるように、基準光発生部６ＡおよびATT１２Ａを設定する。
【０１４８】
図４グラフ横軸下の軸に示されるように、波長選択部１Ａに印加するRF周波数を増加させることにより波長選択部１Ａの選択波長は減少するので、RF信号発生部２Ａの出力を変化させてモニタ部４Ａの出力を観測することにより、図４に示されるスペクトルを得ることができる。
【０１４９】
図４において、λ1〜λ4は波長選択部１Ａにより選択された信号光、λ1SLは波長λ1の信号光の短波長側サイドローブ、λref1は基準光がモニタ部４Ａにより検出される場合のピーク位置をそれぞれ示す。また、右側の縦軸目盛り数字は波長選択モジュール出力（OUT）に出力される光の強度を、中央の目盛り数字はカプラ９Ａまたはカプラ９Ｂにより分岐され、モニタ部４Ａまたはモニタ部４ＢのPD５５Ａ（図１６（ａ））に入射した光による電流値を、左側の目盛り数字は電流−電圧変換用Logアンプ５６Ａ（図１６（ａ））の出力電圧を示す。Logアンプ５６Ａを用いることにより、強い光から微弱な光までの広い強度範囲の光をAD変換器３１Ａの入力範囲に変換し、制御部３Ａに伝えることができる。
【０１５０】
以下に、図３（ｃ）および図４を参照しながら、RF信号周波数と選択波長との関係を補正する方法について説明する。
【０１５１】
第３の実施形態において、第１の実施形態と同様、波長選択部１Ａに印加するRF信号を１つの周波数のみとする。図３（ｃ）は、波長選択部１Ａの選択波長を長波長側から短波長側に減少させるときの、WDM信号光と選択波長との関係を、横軸に波長、縦軸に光の強度をとり、模式的に表したものである。RF信号発生部２Ａより出力するRF信号の周波数を170MHzから1kHzステップで増加させると、RF信号の周波数の増加により、波長選択部１Ａの選択波長は減少するので、図３（ａ）点線で示されるように波長選択部１Ａの選択波長は長波長側から短波長側へと変化する。
【０１５２】
上述したように、基準光は、信号光の強度よりも小さく、信号光のサイドローブ強度よりも大きい強度でモニタ部４Ａに観測され、図４のλref1に示されるスペクトルとなるので、制御部３Ａにより基準光のサイドローブが信号光と判別されることはない。また、基準光のサイドローブは信号光のサイドローブの強度よりも小さいので、基準光が信号光のサイドローブと判別されることもない。
【０１５３】
基準光の波長λref1はWDM信号光の最長波長よりも長いので、RF信号の周波数を増加させ、波長選択部の選択波長を短波長側へと変化させることにより、波長選択部基準光が最初にモニタされる。モニタ部４Ａにモニタされた基準光の強度が最大となった時に、波長選択部１Ａに印加しているRF信号の周波数を、基準光の波長λref1に対応するRF周波数ｆref1として記録する。
【０１５４】
第１の実施形態において説明したように、RF信号周波数に対する光波長の変化率をあらかじめ記憶しておけば、ある光波長に対応するRF信号周波数を得ることにより、任意の波長の光に対応するRF信号周波数を得ることができる。第３の実施形態においては、WDM信号光の各チャンネルの周波数を監視制御信号等から得ることができるので、基準光を選択したときのRF信号周波数を検出することにより、WDM信号光の各チャンネルの光波長に対応するRF信号周波数を求めることができる。
【０１５５】
したがって、波長選択部の温度変化によるRF信号周波数と選択波長の関係が変化しても、基準光を利用することにより、RF周波数と選択波長関係の変化を補正することができる。
【０１５６】
なお、上記の説明では、基準光の波長λref1を信号光の最長波長よりも長いものとし、波長選択部１Ａの選択波長を長波長側から短波長側へと変化させることによりモニタ部４Ａは基準光を検出したが、逆に、基準光の波長λref1を信号光の最短波長よりも短いものとし、波長選択部１Ａの選択波長を短波長側から長波長側へと変化させることによりモニタ部４Ａが基準光を検出しても、同様の方法により、RF周波数と選択波長関係の変化を補正することができる。
【０１５７】
このように、本発明の第３の実施形態によれば、入力光に基準光を合波することにより、１つの波長選択部を用いて、波長多重されていない２波長の光を選択し、出力することができると同時に、波長選択部の温度変化によるRF信号周波数と選択波長との関係を補正する波長選択モジュールを簡易に構成することができる。
【０１５８】
〔ｄ〕第４の実施形態
図７に本発明の第４の実施形態による波長選択モジュールを示す。第４の実施形態による波長選択モジュールは、複数波長を選択可能な波長選択部１Ａと、基準光発生部（REF）６Ａ、光アッテネータ（ATT）１２Ａ、制御部（CTRL）３Ａ、RF信号発生部（RF OSC）２Ａ〜２Ｂ、混合部（Mixer）７Ａ、モニタ部（MON）４Ａ〜４Ｂ、光フィルタ５Ｃ〜５Ｄ、カプラ９Ａ〜９Ｃにより構成される波長選択モジュールである。波長選択部１Ａ、RF信号発生部２Ａ〜２Ｂ、混合部７Ａ、カプラ９Ａ〜９Ｂの動作は、第２の実施形態と同様である。また、基準光発生部６Ａ、光アッテネータ１２Ａの構成及び動作は、第３の実施形態と同様である。
【０１５９】
図７に示される、本発明の第２の実施形態による波長選択モジュールは、波長選択部１ＡであるAOTFに印加されるRF信号の周波数とAOTF選択波長の関係の補正を、基準光発生部６Ａより出力される基準光を用いて行う波長選択モジュールである。
【０１６０】
光フィルタ５Ｃは基準光の波長を減衰させるフィルタであり、カプラ９Ａで分岐された光のうち、カプラ９Ｂを通じて出力される波長選択モジュールの出力に基準光が含まれないように、基準光波長を阻止し、他の波長の光を透過する。
【０１６１】
一方、光フィルタ５Ｄは、カプラ９Ａより分岐された光より、基準光波長の光を選択的に透過するフィルタであり、フィルタ後の光はモニタ４Ａに入力される。基準光の波長を選択的に透過するとは、波長選択部１Ａより出力される光のうち、基準光の波長のみが透過されるということであり、例えば、波長多重された信号光の波長よりも基準光の波長が短い場合はローパスフィルタを用いることができるし、波長多重された信号光の波長の間に基準光がある場合は、バンドパスフィルタを用いることができる。
【０１６２】
第４の実施形態では、印加されたRF信号周波数に対応する波長の光が波長選択部１Ａよりカプラ９Ａに出力されるので、カプラ９Ｂおよび波長選択モジュールの出力には、波長選択部１Ａの選択光のうち、基準光波長以外の光が出力される。また、モニタ４Ａには、基準光波長に対応する周波数のRF信号が波長選択部１Ａに印加されたときは、基準光が入力される。
【０１６３】
第２の実施形態と同様に、フィルタ５Ｃおよび５Ｄを設けることにより、基準光を選択するように、波長選択部１Ａに印加するRF信号を変化させる動作を、WDM信号光を選択する動作に影響を与えずに行うことができるので、RF信号と選択波長の関係を補正する動作を、WDM信号光の選択動作とは独立に行うことができる。
【０１６４】
〔ｅ〕第５の実施形態
次に、図８に本発明の第５の実施形態による波長選択モジュールを示す。第５の実施形態による波長選択モジュールは、波長選択部１Ａと、制御部（CTRL）３Ａ、RF信号発生部（RF OSC）２Ａ〜２Ｂ、混合部（Mixer）７Ａ、モニタ部（MON）４Ａ〜４Ｂ、分波手段として波長分離フィルタ８Ａ、カプラ９Ｃ〜９Ｅ、光フィルタ５Ａ〜５Ｂ、基準光発生部（REF）６Ａ〜６Ｂ、光アッテネータ（ATT）１２Ａ〜１２Ｂにより構成される波長選択モジュールである。波長選択部１Ａ、RF信号発生部２Ａ〜２Ｂ、混合部７Ａ、波長分離フィルタ８Ａ、光フィルタ５Ａ〜５Ｂの構成および動作は第１の実施形態と同様である。
【０１６５】
基準光発生部６Ａおよび６Ｂより出力される第１および第２の基準光は、波長選択部１Ａの選択波長が温度により変化する現象を補正するのに用いられる。基準光発生部は、出力光の波長が一定となる機構を内部に持つので、波長選択部の温度が変化し、RF信号周波数と波長選択部の選択波長との関係が変動した場合でも、RF信号の周波数を変化させ、波長選択部が基準光波長を選択するRF信号の周波数を求めることにより、RF信号周波数と波長選択部の選択波長との関係を求め、補正をすることができる。
【０１６６】
第５の実施形態においては、基準光発生部６Ａおよび６Ｂにより出力された第１および第２の基準光を、波長選択モジュールの入力光と合波して、波長選択部１Ａに入力し、モニタ４Ａおよび４Ｂでそれぞれ独立に基準光とRF信号周波数の関係の補正をするので、RF信号周波数と選択波長の関係を正確に求めることができ、波長選択部１Ａの選択波長が温度により変化する現象の補正を、より正確にすることができる。
【０１６７】
基準光発生部６Ａおよび６Ｂより出力された第１および第２の基準光は、それぞれATT１２Ａおよび１２Ｂにより光強度の調整をされ、カプラ９Ｃにより波長選択モジュールの入力光と合波され、波長選択部１Ａに入力する。
【０１６８】
第１の実施例と同様に、波長分離フィルタ８Ａは、カプラ９Ａからの出力を、光フィルタ５Ａおよび光フィルタ５Ｂに分離するフィルタである。第５の実施形態による波長分離フィルタ８Ａは、カプラ９Ａより出力された光のうちＣバンドの波長領域にある光を光フィルタ５Ａに、Ｌバンドの波長領域にある光を光フィルタ５Ｂに分波し出力する。
【０１６９】
光フィルタ５ＡはＣバンド領域の光のみを透過する光フィルタであり、波長分離フィルタ８Ａにより分波された光のＣバンド領域以外の光を減衰させるので、波長選択部１Ａにより選択されたＣバンドの光のみが光フィルタの出力（OUT）ポート１に出力される。
【０１７０】
同様に、光フィルタ５ＢはＬバンド領域の光のみを透過する光フィルタであり、波長分離フィルタ８Ａにより分波された光のＬバンド領域以外の光を減衰させるので、波長選択部１Ａにより選択されたＬバンドの光のみが光フィルタの出力（OUT）ポート２に出力される。
【０１７１】
モニタ部４Ａおよび４Ｂは、それぞれカプラ９Ｄおよび９Ｅにより分岐された、光フィルタ５Ａおよび５Ｂの出力光を入力し、その強度をデジタル信号として制御部３Ａに出力する。モニタ部４Ａおよび４Ｂの構成は、第１の実施形態におけるモニタ部と同様であり、ダイナミックレンジの広い電流−電圧変換用Logアンプにより得られる、入力光強度と関連付けられたデジタル信号を、制御部３Ａに出力する。
【０１７２】
制御部３Ａは、モニタ部４Ａおよび４Ｂから出力されるデジタル信号を入力し、RF信号発生部２Ａおよび２Ｂから発生する周波数・振幅・位相を規定する制御信号を出力する。制御部３Ａは、第１の実施形態と同様、図１６（ｂ）に示される構成となっている。
【０１７３】
（第５の実施形態の動作説明）
次に、本発明の第５の実施形態による波長選択モジュールの動作について説明する。
【０１７４】
図８に示される本発明の第５の実施形態による波長選択モジュールにおいて、入力したWDM信号光は、基準光発生部６Ａおよび６Ｂにより出力された第１および第２の基準光と合波され、波長選択部１Ａに入力する。
【０１７５】
RF信号発生部２Ａおよび２Ｂにより出力されるRF信号の周波数をそれぞれf1およびf2、波長選択部１Ａに周波数f1およびf2のRF信号が入力された場合にモード変換され、分岐（DROP）ポートより出力する光の波長をそれぞれλ1、λ2とする。
【０１７６】
第１の実施形態と同様に、λ1をＣバンドの波長帯域に、λ2をＬバンドの波長帯域にあるように、f1およびf2を定めると、波長分離フィルタ８Ａは、Ｃバンドの波長領域にある光を光フィルタ５Ａに、Ｌバンドの波長領域にある光を光フィルタ５Ｂに出力するカプラであるので、波長λ1の光は光フィルタ５Ａに出力され、波長λ2の光は光フィルタ５Ｂに出力される。
【０１７７】
光フィルタ５ＡはＣバンド領域の光のみを、光フィルタ５ＢはＬバンド領域の光のみを透過する光フィルタであるので、波長λ1の光は光フィルタ５Ａを通じて出力（OUT）ポート１およびモニタ部４Ａに出力され、波長λ2の光は光フィルタ５Ｂを通じて出力（OUT）ポート２およびモニタ部４Ｂに出力される。
【０１７８】
したがって、モニタ部４Ａは波長選択部１Ａにより選択された光のうちＣバンドの波長帯域にある波長λ1の光の強度を、モニタ部４Ａは波長選択部１Ａにより選択された光のうちＬバンドの波長帯域にある波長λ2の光の強度をそれぞれデジタル信号として制御部３Ａに出力する。
【０１７９】
これにより、第５の実施形態では、制御部３Ａは、モニタ部４Ａおよび４Ｂの情報から、波長λ1の光の強度と波長λ2の光の強度情報を独立かつ同時に得る。
【０１８０】
以下に、図３（ｄ）を参照しながら、RF信号周波数と選択波長との関係を補正する方法について説明する。
【０１８１】
第５の実施形態において、基準光発生部６Ａおよび６Ｂの出力する基準光を、それぞれ基準光１および基準光２とし、基準光１および基準光２の波長を、それぞれλref1およびλref2とする。また、基準光１の波長λref1を、信号光の最短波長よりも短く、かつ、光フィルタ５Ａを透過する波長とし、基準光２の波長λref2を、信号光の最長波長よりも長く、かつ、光フィルタ５Ｂを透過する波長とする。
【０１８２】
また、第３の実施形態と同様に、基準光１および基準光２が、信号光の強度よりも小さく、信号光のサイドローブ強度よりも大きい強度で、それぞれモニタ部４Ａおよびモニタ部４Ｂに観測されるように、それぞれ基準光発生部６ＡとATT１２Ａおよび基準光発生部６ＢとATT１２Ｂを設定する。
【０１８３】
図３（ｄ）は、波長選択部１Ａの選択波長を、１波は長波長側から短波長側に減少させ、１波は短波長側から長波長側に増加させるときの、WDM信号光と選択波長との関係を、横軸に波長、縦軸に光の強度をとり、模式的に表したものである。RF信号発生部２Ａの出力信号周波数ｆ1を高周波数側から低周波数側へと変化させ、波長選択部１Ａの選択波長λ1を短波長側から長波長側へと変化させることにより、モニタ部４Ａは基準光１を検出する。同様に、RF信号発生部２Ｂの出力信号周波数ｆ2を低周波数側から高周波数側へと変化させ、波長選択部１Ａの選択波長λ2を長波長側から短波長側へと変化させることにより、モニタ部４Ｂは基準光２を検出する。
【０１８４】
第５の実施形態においては、波長選択部１Ａの出力のうち、Ｃバンドの波長領域にある光と、Ｌバンドの波長領域にある光は、それぞれモニタ部４Ａおよびモニタ部４Ｂにより、独立かつ同時にモニタでき、RF信号発生部２Ａおよび２Ｂの出力するRF信号の周波数も、それぞれ独立に変化・出力することができるから、モニタ部４Ａおよび４Ｂにより、λref1 ＝ λ1 となるRF信号周波数ｆref1およびλref2 ＝ λ2 となるRF信号周波数ｆref2を、独立かつ同時に探索することができる。
【０１８５】
これにより、波長選択部１Ａがλref1を選択するときのRF信号の周波数ｆref1と、λref2を選択するときのRF信号の周波数ｆref2が得られるので、RF信号周波数に対する光波長の変化率を求めることができ、あらかじめ変化率を記憶しておかなくても、目的の光波長に対応するRF信号周波数を得ることができる。
【０１８６】
第３の実施形態と同様に、WDM信号光の各チャンネルの周波数は、監視制御信号等から得ることができるので、第５の実施形態においても、WDM信号光の各チャンネルの光波長に対応するRF信号周波数を求めることができる。
【０１８７】
第５の実施形態においては、RF信号周波数に対する光波長の変化率を直接求めることができるので、RF信号周波数に対する光波長の変化率を用いる必要がない。これにより、あらかじめ記憶された変化率が実際の変化率との乖離していることによる、算出されるRF信号周波数のずれ、および選択波長のずれを、トラッキング等の別手段により補正する必要がないという利点を有する。
【０１８８】
さらに、基準光１および基準光２の波長探索は、それぞれモニタ部４Ａおよび４Ｂにより、独立かつ同時に行われるので、基準光の波長探索を２波について行うにも関わらず、探索時間は１波の場合と同程度に収めることができる。
【０１８９】
このように、本発明の第５の実施形態によれば、入力光に基準光２波を合波するとともに、波長帯域ごとに分波された出力をモニタすることで、１つの波長選択部を用いて、波長多重されていない２波長の光を選択し、出力することができると同時に、波長選択部の温度変化によるRF信号周波数と選択波長との関係を、基準光２波を用いてより正確に補正できる、波長選択モジュールを簡易に構成することができる。
【０１９０】
〔ｆ〕第６の実施形態
次に、図９に本発明の第６の実施形態による波長選択モジュールを示す。第６の実施形態による波長選択モジュールは、波長選択部１Ａ〜１Ｄと、制御部（CTRL）３Ａ、RF信号発生部（RF OSC）２Ａ〜２Ｆ、混合部（Mixer）７Ａ、モニタ部（MON）４Ａ〜４Ｆ、カプラ９Ａ〜９Ｇ、光フィルタ５Ａ〜５Ｂ、基準光発生部（REF）６Ａ〜６Ｂ、光アッテネータ（ATT）１２Ａ〜１２Ｂにより構成される波長選択モジュールである。
【０１９１】
図９の波長選択部１Ａ〜１Ｄは、同一の環境下にある波長選択部であり、例えば、集積型AOTFアレイを用いることができる。
【０１９２】
第５の実施形態と同様に、基準光発生部６Ａおよび６Ｂより出力される第１および第２の基準光は、波長選択部１Ｄの選択波長が温度により変化する現象を補正するのに用いられる。基準光発生部は、出力光の波長が一定となる機構を内部に持つので、波長選択部の温度が変化し、RF信号周波数と波長選択部の選択波長との関係が変動した場合でも、RF信号の周波数を変化させ、波長選択部が基準光波長を選択するRF信号の周波数を求めることにより、RF信号周波数と波長選択部の選択波長との関係を求め、補正をすることができる。
【０１９３】
第６の実施形態においては、基準光発生部６Ａおよび６Ｂにより出力された第１および第２の基準光を、カプラ９Ｇにより波長選択モジュールの入力光と合波した後、カプラ９Ａで分波し、波長選択部１Ｄに入力し、モニタ４Ａおよび４Ｂでそれぞれ独立に基準光とRF信号周波数の関係の補正をするので、RF信号周波数と選択波長の関係を正確に求めることができ、波長選択部１Ａの選択波長が温度により変化する現象の補正を、より正確にすることができる。
【０１９４】
基準光発生部６Ａおよび６Ｂより出力された第１および第２の基準光は、それぞれATT１２Ａおよび１２Ｂにより光強度の調整をされ、カプラ９Ｇにより波長選択モジュールの入力光と合波され、カプラ９Ａで分波され、波長選択部１Ａ〜１Ｄに入力する。
【０１９５】
波長選択部１Ａ〜１Ｃは、それぞれRF信号発生部（RF OSC）２Ｄ〜２Ｆより出力されるRF信号周波数に応じた波長の光を選択し、それぞれ波長選択モジュールの出力（OUT１〜OUT３）として出力する。波長選択部１Ａ〜１Ｃの出力は、それぞれカプラ９Ｂ〜９Ｄで分岐され、モニタ部（MON）４Ａ〜４Ｃによりモニタされる。
【０１９６】
一方、波長選択部１Ｄが目的波長の信号光と第１および第２の基準光を選択するように、混合部７Ａを通じてRF信号を印加することにより、第４の実施形態と同様に、RF信号周波数と波長選択部の選択波長との関係を求め、補正をすることができる。
【０１９７】
光フィルタ５Ｅは第１および第２の基準光の波長を減衰させるフィルタであり、カプラ９Ｆで分岐された光のうち、カプラ９Ｅを通じて出力される波長選択モジュールの出力（OUT４）に第１および第２の基準光が含まれないように、第１および第２の基準光波長を阻止し、他の波長の光を透過する。
【０１９８】
一方、光フィルタ５Ｇおよび５Ｈは、カプラ９Ｆより分岐された光より、それぞれ第１および第２の基準光波長の光を選択的に透過するフィルタであり、フィルタ後の光はそれぞれモニタ部４Ｂおよび４Ａに入力される。
【０１９９】
これにより、波長選択部１Ｄが目的波長の信号光と第１および第２の基準光を選択するように、混合部７Ａを通じてRF信号を印加した場合、カプラ９Ｆで分岐された出力光のうち、目的波長の信号光はOUT４へ、第１および第２の基準光はそれぞれモニタ部４Ｂおよび４Ａに出力される。
【０２００】
第６の実施形態において、第２および第４の実施形態と同様に、波長選択部１Ｄおよび制御部３Ａは、第１および第２の基準光をスキャニングおよびトラッキングにより連続的に選択して、波長選択部１Ｄの温度変化によるRF信号周波数と選択波長との関係を補正する一方、目的の波長の光を任意に切り替えることができる。
【０２０１】
また、波長選択部１Ａ〜１Ｄは同一の環境下にあり、波長選択部の温度変化によるRF信号周波数と選択波長との関係にほとんど差がないと考えることができるので、波長選択部１ＤのRF信号周波数と選択波長との関係を補正することにより、波長選択部１Ａ〜１ＤのRF信号周波数と選択波長との関係が補正される。
【０２０２】
これにより、RF信号周波数と選択波長との関係を補正する制御を１つの波長選択部に対しておこなうことにより、複数の波長選択部に対して補正を行うことができるので、コストを削減することができる。
【０２０３】
〔ｇ〕第７の実施形態
次に、図１１に本発明の第７の実施形態によるOADM装置を示す。第７の実施形態によるOADM装置は、光カプラ９Ａ〜９Ｄ、光増幅器１１Ａ〜１１Ｉ、波長選択モジュール１０Ａ〜１０Ｄ、トランスポンダ部１５Ａ〜１５Ｂ、光アッテネータ（ATT）１２Ａ〜１２Ｈ、BRF（帯域阻止光フィルタ；Band Rejection Filter）１６Ａ〜１６Ｂにより構成される。また、トランスポンダ部１５Ａは、光受信器１３Ａ〜１３Ｄおよび光送信器１４Ａ〜１４Ｄにより構成され、トランスポンダ部１５Ｂは、光受信器１３Ｅ〜１３Ｈおよび光送信器１４Ｅ〜１４Ｈにより構成される。
【０２０４】
波長選択モジュール１０Ａ〜１０Ｄは、波長選択部を使用した本発明による波長選択モジュールであり、ＣバンドおよびＬバンドの波長帯域の光をそれぞれ１波ずつ選択して出力する。
【０２０５】
BRF１６Ａおよび１６Ｂは波長選択部のリジェクション機能を用いたものであり、挿入（ADD）ポートから入力された光のうち、印加されたRF信号の周波数に対応する光を、透過（THRU）ポートに出力する。また、入力（IN）ポートから入力された光のうち、印加されたRF信号の周波数に対応する光を、分岐（DROP）ポートに出力し、透過（THRU）ポートには出力しない。
【０２０６】
図１１に示されるOADM装置において、入力されたWDM信号光から、Ｃバンドの波長帯域にある波長λC1、λC2、λC3、λC4の光と、Ｌバンドの波長帯域にある波長λL1、λL2、λL3、λL4の光を単一波長の光に分岐して出力し、また、挿入された光を波長λC5、λC6、λC7、λC8の光と、波長λL5、λL6、λL7、λL8の光として、WDM信号光に挿入し、多重化して出力する場合について説明する。
【０２０７】
OADM装置の入力ポートに入力されたWDM信号光はカプラ９Ａにより分波され、BRF１６Ａの入力（IN）ポートと、光増幅器１１Ａに入力する。光増幅器１１Ａにより増幅された光は、カプラ９Ｂにより分波され、光装置１０Ａ〜１０Ｄに入力する。
【０２０８】
光装置１０Ａ〜１０Ｄは、本発明による光装置であり、光装置１０Ａは波長λC1およびλL1の光をOADM装置の分岐光ポートに出力し、同様にして、光装置１０Ｂ〜１０Ｄは、それぞれ波長λC2〜λC4およびλL2〜λL4の光をOADM装置の分岐光ポートに出力する。したがって、４つの光装置１０Ａ〜１０Ｄにより、λC1〜λC4とλL1〜λL4の８波を選択し、出力することができる。
【０２０９】
一方、OADM装置の挿入光ポート１に入力した光は、トランスポンダ部１５Ａにより信号光の波長を変え、波長λC5〜λC8の光ととして出力する。出力された波長λC5〜λC8の光は、光増幅器１１Ｂ〜１１Ｅにより増幅され、ATT１２Ａ〜１２Ｄにより、それぞれ光強度の調整をされ、カプラ９Ｃにより合波され、BRF１６Ａの挿入（ADD）ポートに入力する。
【０２１０】
同様に、OADM装置の挿入光ポート２に入力した光は、トランスポンダ部１５Ｂにより信号光の波長を変え、波長λL5〜λL8の光ととして出力する。出力された波長λL5〜λL8の光は、光増幅器１１Ｆ〜１１Ｉにより増幅され、ATT１２Ｅ〜１２Ｈにより、それぞれ光強度の調整をされ、カプラ９Ｄにより合波され、BRF１６Ｂの挿入（ADD）ポートに入力する。
【０２１１】
BRF１６Ａの入力（IN）ポートには、カプラ９Ａにより分波されたWDM信号光が入力され、BRF１６Ａの挿入（ADD）ポートにはカプラ９Ｃより波長λC5〜λC8の光が入力される。挿入（ADD）ポートに入力された光を透過（THRU）ポートに出力するために、BRF１６Ａには波長λC5〜λC8に対応する周波数のRF信号が印加されるが、これにより、入力（IN）ポートに入力されたWDM信号光のうち、波長λC5〜λC8の光は分岐（DROP）ポートに出力されるので、波長λC5〜λC8を除いた光が透過（THRU）ポートに出力される。
【０２１２】
同様に、BRF１６Ｂの入力（IN）ポートには、BRF１６Ｂの透過（THRU）ポートより出力されたWDM信号光が入力され、BRF１６Ｂの挿入（ADD）ポートにはカプラ９Ｄより波長λL5〜λL8の光が入力される。挿入（ADD）ポートに入力された光を透過（THRU）ポートに出力するために、BRF１６Ｂには波長λL5〜λL8に対応する周波数のRF信号が印加されるが、これにより、入力（IN）ポートに入力されたWDM信号光のうち、波長λL5〜λL8の光は分岐（DROP）ポートに出力されるので、波長λL5〜λL8を除いた光が透過（THRU）ポートに出力され、OADM装置の出力ポートに出力される。
【０２１３】
図１２は図１１の実施形態の変形例である。図１２に示されるOADM装置において、図１１と同一番号の付されている構成は同一部材であるため、その説明を省略する。
【０２１４】
基準光発生部６Ａからの出力光は任意の光パワーに調整されるべく光アッテネータ１２Ｃに入力される。光アッテネータ１２Ｃで所定の光パワーに調整された光は光カプラ９Ｅに入力される。光カプラ９Ｅでは光カプラ９Ａで分離されたWDM信号光と光アッテネータ１２Ｃの光を合波して出力する。光カプラ９Ｅの出力は光増幅器１１Ａに入力され所定の光パワーに増幅される。光増幅器１１Ａの出力は光カプラ９Ｂに入力される。光カプラ９Ｂは入力した増幅されたWDM信号光と基準光発生部からの光を複数に分離し、光装置１０Ａ乃至１０Ｄに入力する。
【０２１５】
このように構成することで、基準光源を個別の光装置１０Ａ乃至１０Ｄに設ける必要が無くなり、構成を簡略化することができる。
【０２１６】
なお、本図では基準光発生部は一つであるが、図８に示すように複数の基準光を用いても良い。この際、複数の基準光発生部を用いれば複数の基準光を用いることができる。
【０２１７】
このように、本発明の第７の実施形態によれば、波長多重されていない２波長の光を選択し出力することができる、波長選択部を１つ用いた可変波長選択モジュールをOADM装置に使用することにより、使用する波長選択部の数を抑えながら、分岐・挿入する波長数を多くすることのできるOADM装置を構成することができる。
【０２１８】
第１、第３、第５の実施形態においては、Ｃバンドの波長帯域にある光１波と、Ｌバンドの波長帯域にある光１波を１つの波長選択部により選択し、カプラにより波長ごとに分波していたが、波長選択部の選択波長が別の波長帯域にあれば、カプラにより分波できるので、選択・出力することのできる波数は２波に制限されない。
【０２１９】
例えば、３つのRF信号発生部によるRF信号出力を混合し、Ｃバンド、Ｌバンド、Ｓバンドの光を波長選択部により選択し、カプラにより波長ごとに分波すれば、第１〜第５の実施形態と同様の構成により波長多重されていない３波長の光を選択し、出力することができる。
【０２２０】
この３波長の光を選択・出力することのできる波長選択モジュールを、第７の実施形態と構成に使用すれば、Ｃバンド、Ｌバンド、Ｓバンドの光を分岐・挿入するOADM装置に使用する波長選択部の数を抑えることができる。
（ｈ）付記
本願は以下の付記記載の発明を包含する。
（付記１）
複数の異なる波長の光が多重化された光を入力し外部より与えられた制御信号に応じた複数の波長の光を選択し出力する波長選択部と、
前記波長選択部の出力光を波長ごとに分波し出力する分波手段を備えた波長選択モジュール。
（付記２）
付記１記載の波長選択モジュールであって、
前記分波手段の出力光を入力し、不要の波長の光を減衰して出力する手段を備えた波長選択モジュール。
（付記３）
入力した光の中から外部の制御信号により複数の波長を選択し出力する波長選択部と、
前記波長選択部の出力光を複数の波長の光に分波する分波手段を備えた光フィルタと、
前記フィルタに対しての基準光を発生する基準光源と、
入力光と前記基準光を合波し、前記波長選択手段に入力する合波手段を備えた波長選択モジュール。
（付記４）
付記３記載の波長選択モジュールであって、
前記分波手段はモニタ出力を有し、
前記基準光源の波長の光が前記モニタ出力に出力されたときの前記波長選択部を制御するための制御信号と前記基準光源の波長に基づき前記波長選択部を制御するための制御信号を制御することを特徴とする波長選択モジュール。
（付記５）
付記３記載の波長選択モジュールであって、
前記基準光源は複数の波長の光を発生し、
前記分波手段で分離された複数の波長はそれぞれモニタ出力されており、
前記基準光源の波長の光が前記モニタ出力に出力されたときの前記波長選択部を制御するための制御信号と前記基準光源の波長に基づき前記波長選択部を制御するための制御信号を制御することを特徴とする波長選択モジュール。
（付記６）
複数の異なる波長の光を入力し外部より与えられた制御信号に応じた複数の波長の光を選択し出力する波長選択部と、
前記波長選択部の出力を第１および第２の光に分岐する分岐手段と、
前記第２の光を入力し特定の波長の光を選択的に透過する第１のフィルタと、
前記制御信号と前記第１のフィルタの出力と前記フィルタの透過波長に基づき、前記波長選択部に与えられた制御信号と選択波長との関係を調整する制御部とを備えたことを特徴とする波長選択モジュール。
（付記７）
出力波長が一定である基準光源と、
複数の異なる波長の光を含む入力光と前記基準光源の出力光を合波する合波手段と、
前記合波手段の出力光を入力し外部より与えられた制御信号に応じた複数の波長の光を選択し出力する波長選択部と、
前記波長選択部の出力を第１および第２の光に分岐する分岐手段と、
前記第２の光を入力し前記基準光源の出力光波長の光を選択的に透過する第１のフィルタと、
前記制御信号と前記第１のフィルタの出力と前記基準光源の波長に基づき、前記波長選択部に与えられた制御信号と選択波長との関係を調整する制御部とを備えたことを特徴とする波長選択モジュール。
（付記８）
出力波長が一定である第１および第２の基準光源と、
複数の異なる波長の光を含む入力光と前記第１および第２の基準光源の出力光を合波する合波手段と、
前記合波手段の出力光を入力し外部より与えられた制御信号に応じた複数の波長の光を選択し出力する波長選択部と、
前記波長選択部の出力を第１ないし第３の光に分岐する分岐手段と、
前記第２の光を入力し前記第１の基準光源の出力光波長の光を選択的に透過する第１のフィルタと、
前記第３の光を入力し前記第２の基準光源の出力光波長の光を選択的に透過する第２のフィルタと、
前記制御信号と前記第１のフィルタの出力と前記第１の基準光源の波長の関係および前記制御信号と前記第２のフィルタの出力と前記第２の基準光源の波長の関係に基づき、前記波長選択部に与えられた制御信号と選択波長との関係を調整する制御部とを備えたことを特徴とする波長選択モジュール。
（付記９）
付記６ないし付記８記載の波長選択モジュールであって、前記制御部は前記第１または第２のフィルタにより選択的に透過される光を前記波長選択部で連続的に選択するように前記制御信号を制御することを特徴とする波長選択モジュール。
（付記１０）
付記６ないし付記８記載の波長選択モジュールであって、前記制御部は前記第１または第２のフィルタにより選択的に透過される光に対応する前記制御信号の出力を抑制することにより、前記第１または第２のフィルタにより選択的に透過される光の波長の前記第１の光への出力を抑制することを特徴とする波長選択モジュール。
（付記１１）
付記６ないし付記８記載の波長選択モジュールであって、
第１の光を入力し前記制御部は前記第１または第２のフィルタにより選択的に透過される光の波長を減衰する第３のフィルタを備えることを特徴とする波長選択モジュール。
【図面の簡単な説明】
【０２２１】
【図１】本発明による波長選択モジュールを示す図
【図２】本発明による波長選択モジュールの各部における光強度を示す図
【図３】本発明による波長選択モジュールに用いられる波長選択部の、選択波長と入力光の関係を示す図
【図４】基準光および信号光のスペクトルを示す図
【図５】本発明による波長選択モジュールを示す図
【図６】本発明による波長選択モジュールを示す図
【図７】本発明による波長選択モジュールを示す図
【図８】本発明による波長選択モジュールを示す図
【図９】本発明による波長選択モジュールを示す図
【図１０】AOTFに印加されるRF信号強度と出力光強度の関係を示す図
【図１１】本発明による光分岐挿入装置を示す図
【図１２】本発明による光分岐挿入装置を示す図
【図１３】RF信号発生部の構成を示す図
【図１４】DDSの構成を示す図
【図１５】DDSの構成を示す図
【図１６】モニタ部および制御部の構成を示す図
【図１７】基準光発生部の構成を示す図
【図１８】音響光学可変フィルタ（AOTF）の構成を示す図
【図１９】従来技術による光分岐挿入装置を示す図
【図２０】光バーストスイッチ方式を示す図
【符号の説明】
【０２２２】
１Ａ  波長選択部
２Ａ〜２Ｂ  高周波信号発生部（RF OSC）
３Ａ〜３Ｂ  制御部（CTRL）
４Ａ〜４Ｂ  モニタ部（MON）
５Ａ〜５Ｆ  光フィルタ
６Ａ〜６Ｂ  基準光発生部（REF）
７Ａ  混合部（Mix）
８Ａ  波長分離フィルタ
９Ａ〜９Ｇ  カプラ
１０Ａ〜１０Ｄ  本発明による波長選択モジュール
１１Ａ〜１１Ｃ  光増幅器、光増幅部
１２Ａ〜１２Ｃ  光アッテネータ（ATT）、光アッテネータ部
１３Ａ〜１３Ｂ  光受信部
１４Ａ〜１４Ｂ  光送信部
１５Ａ〜１５Ｂ  トランスポンダ
１６Ａ〜１６Ｂ  BRF（帯域阻止フィルタ）
２０Ａ〜２０Ｄ  従来技術によるAOTFを用いた波長選択部
２１Ａ  IDT（櫛型電極）
２２Ａ  SAW導波路
２３Ａ〜２３Ｂ  PBS（偏光ビームスプリッタ）
２４Ａ〜２４Ｆ  光導波路
２５Ａ  吸収体
２６Ａ  基板
２７Ａ  MPU部
２８Ａ  ROM部
２９Ａ  RAM部
３０Ａ  EEPROM部
３１Ａ〜３１Ｃ  AD変換器（ADC）
３２Ａ〜３２Ｃ  DA変換器（DAC）
３３Ａ  LD駆動部
３４Ａ  PDモニタ部
３５Ａ  レーザダイオード（LD）
３６Ａ〜３６Ｂ  フォトダイオード（PD）
３７Ａ  フィルタ
３８Ａ  サーミスタ
３９Ａ  温度制御回路（TEC）
４０Ａ  温度制御回路ドライバ（TEC DRV）
４１Ａ  温度制御部（TEMP CTRL）
４２Ａ  波長固定機能を有するLD部
５１Ａ〜５１Ｂ  DDS（Direct Digital Synthesizer）
５２Ａ〜５２Ｄ  高周波用バンドパスフィルタ（BPF）
５３Ａ〜５３Ｄ  高周波用増幅器（RF AMP）
５４Ａ  乗算器
５５Ａ  フォトダイオード（PD）
５６Ａ  電流−電圧変換用Logアンプ
５７Ａ  非反転増幅器
５８Ａ  高周波用ローパスフィルタ（LPF）
６１Ａ  位相演算器
６２Ａ〜６２Ｂ  振幅コンバータ
６３Ａ〜６３Ｂ  DA変換器（DAC）
６４Ａ〜６４Ｂ  レジスタ
６５Ａ  レファレンスクロック乗算器
６６Ａ  デジタル乗算器
７０  光バーストスイッチングネットワーク
７１  アクセスネットワーク
７３  エッジノード
７４  中継ノード
８０Ａ〜８０Ｂ  制御パケット
８１Ａ〜８１Ｂ  バーストデータ
【図１】
2004282690.tif 000003
【図２】
2004282690.tif 000004
【図３】
2004282690.tif 000005
【図４】
2004282690.tif 000006
【図５】
2004282690.tif 000007
【図６】
2004282690.tif 000008
【図７】
2004282690.tif 000009
【図８】
2004282690.tif 000010
【図９】
2004282690.tif 000011
【図１０】
2004282690.tif 000012
【図１１】
2004282690.tif 000013
【図１２】
2004282690.tif 000014
【図１３】
2004282690.tif 000015
【図１４】
2004282690.tif 000016
【図１５】
2004282690.tif 000017
【図１６】
2004282690.tif 000018
【図１７】
2004282690.tif 000019
【図１８】
2004282690.tif 000020
【図１９】
2004282690.tif 000021
【図２０】
2004282690.tif 000022